(57)【要約】個人向けの特注製品を公式化する方法及びシステムは、個人の症状の1以上を変更又は改善するために特別に調製された組成物を必要とする個人から主観的インプット及び客観的インプットを取得することを含む。客観的データは個人から得た1以上のサンプルを分析することによって収集し得る。主観的データは個人によるアンケートに応じて提供されるデータを含み得る。客観的及び主観的インプットは、特定の影響を主観的及び客観的インプットと関連する変数と結び付ける経験に由来するデータベースと比較される。特注製品の処方は、客観的及び主観的インプットに基づき、少なくとも1つの適合基準に従って基本公式を適合させることによって導き出し得る。
2007518170.tif 000002
【特許請求の範囲】
【請求項１】
以下のステップ：
個人から決定される客観的データを入力すること、
個人により提供される主観的データを入力すること、
特注製品の基礎となる基本公式を選択すること、
客観的インプット及び主観的インプットに基づき、少なくとも1つの適合基準に従って基本公式を適合させることによって、特注製品用の処方を導き出すこと、
を含む、個人向けの特注製品を公式化するコンピューターベースの方法。
【請求項２】
以下のステップ：
個人から決定される客観的データを入力すること、
個人により提供される主観的データを入力すること、
客観的インプット及び主観的インプットに含まれる少なくとも1つのパラメーターに基づき、特注製品の基礎となる基本公式を選択すること、
選択した基本公式を客観的インプット及び主観的インプットの第1サブセットに従って適合させて、中間公式を取得すること、
中間公式を客観的インプット及び主観的インプットの第2サブセットに従って適合させること、
及び特注製品用の最終的な処方を取得すること、
を含む、個人向けの特注製品を公式化するコンピューターベースの方法。
【請求項３】
基本公式を選択するステップが、利用可能な公式の少なくとも1つのリストから基本公式を選択することを含む、請求項1又は2に記載の方法。
【請求項４】
少なくとも1つのリストが、少なくとも1つのメニュー及びグラフィカル・ユーザー・インターフェースの一部として表示されたリストを含む、請求項3に記載の方法。
【請求項５】
適合基準が経験に由来するデータを含む、請求項1〜4のいずれか1項に記載の方法。
【請求項６】
選択するステップを、客観的インプット又は主観的インプットの1つ以上に含まれる少なくとも1種類のパラメーターに基づいて実行する、請求項1〜5のいずれか1項に記載の方法。
【請求項７】
選択を客観的インプット又は主観的インプットの1つ以上に含まれる少なくとも2種類のパラメーターに基づいて実施する、請求項1〜5のいずれか1項に記載の方法。
【請求項８】
少なくとも2種類のパラメーターが個人の年齢及び体格指数（Body mass index）である、請求項7に記載の方法。
【請求項９】
客観的データは個人から得た1つ以上のサンプルで分析的測定を実行することによって取得されたものである、請求項1〜8のいずれか1項に記載の方法。
【請求項１０】
客観的データは個人の組織サンプル、体液又は遺伝子試験の少なくとも1つから取得されたものである、請求項9に記載の方法。
【請求項１１】
客観的データ及び主観的データが異なるデータベースに保存されたものである、請求項1〜10のいずれか1項に記載の方法。
【請求項１２】
個人から製品性能データを取得して特注処方を変更することをさらに含む、請求項1〜11のいずれか1項に記載の方法。
【請求項１３】
客観的データ及び主観的データの少なくとも1つが、データが入力される位置から遠く離れた物理的位置で保存されたものである、請求項1〜12のいずれか1項に記載の方法。
【請求項１４】
主観的データが、技術的に訓練を受けたコンサルタントの存在下で個人によって完成されたアンケートから取得されたものである、請求項1〜13のいずれか1項に記載の方法。
【請求項１５】
主観的インプットを変更するか否かを判断するために、客観的インプットを個人と検討することをさらに含む、請求項1〜14のいずれか1項に記載の方法。
【請求項１６】
医師の不在下で主観的データを取得する、請求項1〜15のいずれか1項に記載の方法。
【請求項１７】
医師が個人と連絡を取らない、請求項1〜16のいずれか1項に記載の方法。
【請求項１８】
客観的データ及び主観的データが顧客の端末で入力され、リモートサーバーで保存される、請求項1〜17のいずれか1項に記載の方法。
【請求項１９】
少なくとも1種の適合基準が、ヒト症状に対する栄養素、1日用量データ及び効果の関連付けを含む、請求項1〜18のいずれか1項に記載の方法。
【請求項２０】
経験に由来するデータとの客観的インプット及び主観的インプットの関連付けを、人工ニューラル・ネットワークを用いて実施する、請求項1〜19のいずれか1項に記載の方法。
【請求項２１】
経験に由来するデータと関連付ける前に、個人をアンケートに供して主観的インプットを精緻化することをさらに含む、請求項1〜20項のいずれか1項に記載の方法。
【請求項２２】
特注処方が処方薬を含まない、請求項1〜21のいずれか1項に記載の方法。
【請求項２３】
最終的な処方を取得する前に、中間公式を適合させるステップが客観的インプット及び主観的インプットの1以上の追加のサブセットで反復される、請求項2〜22のいずれか1項に記載の方法。
【請求項２４】
第1のサブセットが主観的インプットを含む、請求項2〜23のいずれか1項に記載の方法。
【請求項２５】
第2のサブセットが客観的インプットを含む、請求項2〜24のいずれか1項に記載の方法。
【請求項２６】
個人から決定される客観的データを入力するように設定された第1の入力部と、
個人によって提供される主観的データを入力するように設定された第2の入力部と、
客観的インプット及び主観的インプットを経験に由来するデータと関連付けることによって、個人向けに特注された製品の処方を導き出すように設定された計算部とを含む、個人向けの特注製品を公式化するシステム。
【請求項２７】
個人から決定される客観的データを入力するように設定された第1の入力部と、
個人によって提供される主観的データを入力するように設定された第2の入力部と、
特注製品の基礎となる基本公式の選択を可能にするように設定された第1の選択部と、
客観的データ及び主観的データに基づいて基本公式を適合させることによって特注製品用の処方を導き出すように設定された第1の計算部とを含む、個人向けの特注製品を公式化するシステム。
【請求項２８】
個人から決定される客観的データを入力するように設定された第1の入力部と、
個人によって提供される主観的データを入力するように設定された第2の入力部と、
客観的インプット及び主観的インプットに含まれる少なくとも1つのパラメーターに基づいて、特注製品の基礎となる基本公式を選択するように設定された第1の選択部と、
客観的インプット及び主観的インプットの第1サブセットに従って選択した基本公式を適合させて、中間公式を取得するように設定された第1の計算部と、
客観的インプット及び主観的インプットの第2サブセットに従って中間公式を適合させるように設定された第2の計算部と、
特注製品の最終的な処方を導き出すように設計された第3の計算部とを含む、個人向けの特注製品を公式化するシステム。
【請求項２９】
第1の計算部が、利用可能な公式の少なくとも1つのリストから基本公式を選択するための部を含む、請求項27又は28に記載のシステム。
【請求項３０】
リストが少なくとも1つのメニュー及びグラフィカル・ユーザー・インターフェースの一部として表示されたリストを含む、請求項29に記載のシステム。
【請求項３１】
適合基準が経験に由来するデータを含む、請求項27に記載のシステム。
【請求項３２】
基本公式が異なる顧客の端末で入力され、異なるリモートサーバーで保存される、請求項27又は30に記載のシステム。
【請求項３３】
処方がヒト症状への栄養素、1日用量データ、効果の関連付けと基本公式とを含む、請求項27又は32に記載のシステム。
【請求項３４】
処方がヒト症状への栄養素、1日用量データ及び効果の関連付けを含む、請求項26に記載のシステム。
【請求項３５】
処方を変更するために、個人からの製品性能データを入力するように設定された第3の入力部をさらに含む、請求項26又は34に記載のシステム。
【請求項３６】
経験に由来するデータとの客観的インプット及び主観的インプットの関連付けを、人工ニューラル・ネットワークで実施する、請求項26、34又は35に記載のシステム。
【請求項３７】
基本公式の適合、中間公式の適合及び最終公式の取得を人工ニューラル・ネットワークで実施する、請求項28〜33のいずれか1項に記載のシステム。
【請求項３８】
客観的データ、主観的データ及び基本公式が顧客の端末で入力され、リモートサーバーで保存される、請求項27〜33又は37のいずれか1項に記載のシステム。
【請求項３９】
客観的データを個人から得た1つ以上のサンプルで分析的測定を実施することによって決定する、請求項26〜38のいずれか1項に記載のシステム。
【請求項４０】
客観的データを個人の組織サンプル、体液又は遺伝子試験の少なくとも1つから取得する、請求項26〜39のいずれか1項に記載のシステム。
【請求項４１】
客観的データ及び主観的データが異なるデータベースに保存される、請求項26〜40のいずれか1項に記載のシステム。
【請求項４２】
客観的データ及び主観的データの少なくとも1つが、第1の又は第2の入力部から遠く離れた物理位置で保存される、請求項26〜41のいずれか1項に記載のシステム。
【請求項４３】
主観的データが、技術的な訓練を受けたコンサルタントの存在下で個人によって完成されたアンケートから決定される、請求項26〜42のいずれか1項に記載のシステム。
【請求項４４】
客観的データ及び主観的データが顧客の端末で入力され、リモートサーバーで保存される、請求項26〜43のいずれか1項に記載のシステム。
【請求項４５】
客観的データ及び主観的データが入力部から遠く離れた物理位置で保存される、請求項26〜44のいずれか1項に記載のシステム。
【請求項４６】
個人向けの特注製品を公式化するようにコンピュータープロセッサーを制御するためのコンピューターコードを含むコンピュータープログラムであって、該コンピューターコードが少なくとも請求項1〜25のいずれか1項に記載の方法を実行するように該コンピュータープロセッサーを制御する、上記コンピュータープログラム。
【請求項４７】
コンピューター読取り可能な媒体及びこれに内蔵された個人向けの特注製品を公式化するようにコンピュータープロセッサーを制御するためのコンピューターコードを含むコンピュータープログラム製品であって、該コンピューターコードが少なくとも請求項1〜25のいずれか1項の方法を実行するようにコンピュータープロセッサーを制御する、上記コンピュータープログラム製品。
【発明の詳細な説明】
【技術分野】
【０００１】
１．発明の分野
本発明は、末端利用者から取得した主観的インプット及び客観的インプットを組み入れ（including）、該インプットを経験に由来するデータベースと比較してバランスの取れた処方を取得することによって、末端利用者個人に合わせた基準で製品を公式化する方法に関する。本発明はまた、製品を速やかに調製するために、生産プロセスにバランスの取れた処方を組み込む方法に関する。本発明はまた、製品の末端利用者から主観的インプットを定量し、定量可能な主観的インプットを客観的インプットに対して平衡化することによって特注製品を取得する方法に関する。本発明はまた、個人向けの特注製品を、科学的根拠のある治療レジメンに対して、又は因果関係に関する科学的に導き出されたデータベースに対して、個人の実際の及び認知された医学的状態を比較することによって調製又は公式化する方法に関する。本発明はさらに、末端利用者に個人向けの調製品を提供すること、及びバランスの取れた処方情報の組込みによって直接的に又はフォーミュレーターを介して大量生産プロセスを改変することによって、大量生産品の生産者による利益率の高い末端利用者（例えば消費者）市場へのアクセスの提供に関する。本発明はさらに、末端利用者から主観的データ及び客観的データを収集すること、及び末端利用者向けの特注製品を調製することによって、顧客基盤を個々の末端利用者を含むように多角化する方法に関する。
【背景技術】
【０００２】
２．本発明の背景情報
個人に合わせた及び/又は特注の製品は、イメージ及び健康に関心のある末端利用者に需要がある。個別的ニーズを有する高い可処分所得を有する個人は、大量生産又は一般的な形態で調製又は売買される製品を、完全な所望の性能特性を高性能で提供するのに不十分なものと考えるかもしれない。市販される全ての製品は個人の好みに影響され得る。例えば、化粧品は末端利用者側で非常に個人的かつ利己的に決定される。化粧品の個人への接近性（proximity）（例えば、個人への直接的な適用）及び末端利用者の外見への潜在的な効果は重要である。
【０００３】
多くの化粧品の末端利用者は、少なくとも一部には彼らの外見に対する独自性を明示する。彼らが特定のイメージ明示効果（image-defining effect）を得るために及び外見をあつらえるために使用する製品は、しばしば独自性を明示するための個人の試みの中核をなす。
【０００４】
かかる化粧品の末端利用者は質の高い平均余命を有する。生活の質は多くの要因（身体の健康及び個人的な満足感を含む）に左右され得る。身体の健康には、栄養摂取、化粧品及び医薬によって影響され得る健康及び美容等の要素が含まれ得る。個人的な満足感は社会学的又は心理学的要素であり、帰属感、個人の業績又は他人による認識を含み得る。これらの個人的な満足感の要素はブランド化を含む方法を介して商業的に悪用され得る。
【０００５】
多くの先進国における生活水準、個人に合わせた製品に対する要望及び生産者に対する支払能力は、最近の20年で実質的に増加してきた。「高級な」製品に対する要望は、例えば、高級品市場が継続的に成長し、かつ継続的に変化してきた自動車産業で明らかである。この高級品の増加は、かかる高級な製品と関連したより高い利益の恩恵を受ける製造業者によって勢い付けられている。
【０００６】
個別の特注生産に馴染む製品には耐久消費財（自動車及び家）も含まれる。個人は、例えば特定のカーペットの色又はカーペットの生地を選択することによって家を特注し得る。同様に個人は、所望のイメージ又はオーラを持つ個人に位置付けるオプションを搭載した自動車を購入することを望むかもしれない。
【０００７】
大部分の消耗品は個人の個人的な好みに特注し得る。かかる消耗品には日々の現代的な生活の一部分である物質が含まれる。その例は食器洗い液及びモーター油と同程度に多様である。特注生産の程度及び効果は様々であり得る。例えば、個人は、家財道具を掃除するために使用される調製品又は製品（例えば、洗浄石鹸及び洗浄液）において異なる程度の発泡、生物分解性、香り及び粘性を好むかもしれない。一部の消費者は瞬時に溶解し、高い発泡性を生じる固形物質を好むかもしれないが、他の消費者はゆっくりと分散し、その上使用後に心地のよい香りを使用者に与える液体調製品を好むかもしれない。製品の具体的な性能特性は、製品の科学的処方（例えば洗剤に存在する分散剤及び/若しくは対イオンのタイプ並びに/又は量等）における変化を介して調整してもよい。多くの消費者は、所望の機能を発揮する物質の能力に直接的に影響し得ないが、代わりに物質に美的嗜好を与え得る特定の色又は香りを好む。
【０００８】
特注製品に対する消費者の好みによって直接的に又は局所的に影響を受ける多くの市場（例えば、栄養補給食品、医薬及び化粧品）では、多くの特定の品種で提供される改良製品（product variant）の数は最近の20年で劇的に増加してきた。これは、例えば所与の任意の製造業者から購入可能な異なるシャンプーの数及びタイプから明らかである。今日の市場では、大部分の製造業者が市場の隙間（乾いた頭皮、油っぽい頭皮、細い髪、濃い髪、痛んだ髪（枝毛）、ふけ等）で市販される様々なシャンプーを提供している。しかし、多くの消費者は、多様な選択肢に圧倒され、典型的には試行錯誤のプロセスを介してどの製品を購入するかを決定する。
【０００９】
特注の調製品又は製品の基礎を形成し得る物質のタイプに制限はない。大部分の非耐久品及び消耗品は、特注ベースの規模で生産し得る。液体は混合及び混成が容易であるため、かかる特注生産に特に馴染むが、固形物質（消耗性の家庭用化学薬品等）も特注し得る。さらに、消耗品（トイレットペーパー等）も質感、香り及びパターンを通じて特注し得る。
【００１０】
製品の特注生産は一部の用途（薬剤及び医薬品等）で重大であり得る。医師は疾患を治療するために、個人に投与される薬剤の正確な用量及びタイプを個別に（すなわち処方箋を介して）指定する。ほとんどの場合、この特注生産のレベルは、用量及び広範な市販の医薬品からの特定の医薬物質の選択に制限される。
【００１１】
特注生産は、末端利用者が所望の製品の購入を開始する際に、末端利用者のレベルでも生じ得る。購入又は販売プロセスの間、販売組織の販売員（一部の場合では、コンサルタント又は製品を製造する若しくは製品の販売に関与する組織に必ずしも直接雇用されていない第三者であり得る）は、特注製品を購入する個人に個人的な助言及び案内を提供し得る。かかる販売方法は、日曜大工店において個人が具体的に混成された塗装の色を選択する際にしばしば行われる。塗装の特徴（光沢、色、明度、費用、清掃可能性、質等）に影響し得る要素は、顧客によって特定され、販売組織の販売員に伝えられる。その後、販売員は、個人により良い情報に基づいて購入を決心させることを可能にする追加の助言及びノウハウを提供し得る。現在では、多くの場合に、コンピューターを使用し、製品選択プロセスを介して個人を誘導し、末端利用者によってコンピューターに入力された具体的なデータに基づいて製品を自動的に特注し得る自動化システムで個々の人販売員が置き換えられている。
【００１２】
時に栄養補給食品と称される化粧品及び栄養調製品は、末端利用者の要望に応えるために高度な特注生産がしばしば必要とされる分野である。化粧品産業における特注生産は例えばU.S. 5,622,692（Riggら）に記載される。Riggは、末端利用者に肌の色調を含む変数をコンピューター装置に入力させて、特注の化粧品処方を開発することを可能にする方法を開示する。Riggの方法は末端利用者の本来の肌の色合いの客観的計測を含み得る。肌の色合いのデータは、末端利用者の肌の色を電子装置を用いて販売地で測定することによって取得される。本来の肌の色合いのインプットはコンピューター装置によって捉えられ、末端利用者によってコンピューターにさらに入力される末端利用者の所望する皮膚色、皮膚明度、皮膚保油性等の特性と比較される。したがって、Riggの方法は、販売地で混合され、調剤され、そして顧客に提供される化粧品を調製するために、末端利用者によって入力された主観的測定と共に、皮膚色の客観的測定を含む。販売代理人又はコンサルタントが、皮膚の色合いの測定中又は末端利用者の主観的インプットの入力中に立ち会い、販売地で助言及び案内を提供してもよい。
【００１３】
主観的インプットは末端利用者の所望の性能特性を反映するため重要である。末端利用者と対話するコンサルタント又は販売員は、コンサルタントの経験、訓練及び/又は好みに基づいて、末端利用者が主観的判断をなすのを手助けし得る。第1のコンサルタントに主観的インプットを説明する末端利用者は、同一の主観的インプットを提供していても第2のコンサルタントと対話することによって取得した製品と実質的に異なる製品を取得するかもしれない。したがって、末端利用者によって提供される主観的インプットを解釈する際に直面する一貫性の欠如が存在し得る。
【００１４】
栄養的又は食事的ニーズのために特注された製品（栄養補給食品等）を購入する末端利用者は、製品の性能及び効果に特に敏感であり得る。第三者又はコンサルタントの案内により又は案内なく、主観的インプットと共に販売地で得た測定値のみに基づくインプットは、末端利用者の要求及び要望に完全に応える特注調製品を提供するのに十分ではないかもしれない。そのような場合のインプットは、現場の機器又は分析技術から得られる場合には、特注調製品の性能に悪影響を与え得る末端利用者の健康状態の重要な態様を無視するかもしれない。
【００１５】
現在ではDNA試験に基づいて個別の末端利用者に特注されたフェイスクリームが入手可能である。末端利用者はDNAサンプルを第三者に提供するか、又は代替的にDNA試験を自己管理し、末端利用者の皮膚状態（保油性、質感、毛穴サイズ及び皮膚状態等）のデータを与える観測記録装置を介して追加の情報を提供する。主観的インプット（末端利用者の周囲の環境条件等）もプロファイルに含まれる。皮膚プロファイルは末端利用者の入力データに関する情報（末端利用者は喫煙者であるか否か等）を提供し、末端利用者の皮膚状態へのその活動（activity）の作用についてのデータを提供する。末端利用者は販売地又は使用者の自宅のいずれかに位置するコンピューター・ネットワークを介して主観的データを入力し得る。
【００１６】
末端利用者から得たインプットに基づいて製品を特注する従来の方法では、個人が分析用の組織又は体液サンプルを提供し、その後特注調製品が調製されるが、技術的に訓練したコンサルタント又は店頭管理者の案内を欠き、その他処方を末端利用者に最適なものとするのに使用し得る末端利用者からのフィードバックの機会をさらに欠く。したがって、かかるシステムをデータベースの強化に依存する改善プロセスを介して改善するのは困難である。
【００１７】
治療レジメンを開発するために末端利用者が別の当事者と集中的に対話する幾つかの方法が知られ、これにはホリスティック治療を含む従来の治療方法が含まれる。
【００１８】
ホリスティック治療及び全身治療は、古代及び現代文化から引き出された技術及び治療を用いることによって身体を治療する手法である。これらの技術はしばしば統合（integrated）健康療法又は補完的健康療法と称される。というのも、これらは医薬、健康、化粧品及び他の従来の技術を含む、数種の分野に由来する技術を含み得るからである。
【００１９】
規格化したレジメンの数を制限するホリスティック治療を実施するために必要な正式な訓練はない。ホリスティック療法士は広範な供給源からそれらの影響を取得し得る。ホリスティック治療は化学的プロセスの訓練が必要なく、他の潜在的に生命を脅かす病気又は身体の不安定を無視しながら個体が処置を望む症状のみを治療することによって実際に個体を悪い状態にするかもしれない。
【００２０】
ホリスティック治療に使用し得る従来の方法には、例えば鍼治療、アロマセラピー、アユルベーダハーブ、バイオフィードバック、整体、細胞療法、キレート療法、脊椎指圧療法、コロン療法、解毒療法、エネルギー薬（energy medicine）、花治療、誘導イメージ療法、漢方薬、ホリスティック照会（holistic referrals）、水治療法、催眠術療法、イオン化空気(マイナスイオン)、光線療法、瞑想、心身医療、自然療法、神経言語プログラミング、分子矯正医学、酸素療法、胃酸性度の試験、従来の漢方薬ハーブ及びヨガが含まれる。
【００２１】
ホリスティック療法士はしばしば患者又は顧客を教育し、力付け、そして動機付けをして健康な生活に導く教師とみなされ、最良の治療として予防を重視する。ホリスティック医療は従来の医療と併用して使用し得る。典型的には、ホリスティックな措置は、技術的に訓練された非医療実践者により適用される科学的原理を治療レジメンの基礎としていない。
【００２２】
ホリスティック治療は、多くの「代替的」又は「補完的」医療とみなされ、物議をかもしているが、時には病気の治療に効果的な手段である。一部にはこの議論及び他の批判に起因して、ホリスティック治療は医学会を顧客基盤とする広範な集団内で幅広い支持が得られなかった。従来の健康及び化粧措置は、技術的に訓練された実践者の案内を欠き、客観的な照会（referral）及びフィードバックシステムを提供しない。
【００２３】
ホリスティック医療は極端に小さな用量の薬剤及びハーブを用いて、疾患が引き起こす同一の症状を生じさせる措置である。ホメオパシー医（ホメオパシーの実践者）は症状のみを認め、疾患を全く認知しない。
【００２４】
特注製品溶液を提供するための従来の販売プロセスは、末端利用者に特定の性能要件及び特徴を示す製品を見出すこと又は公式化することを可能にすることによって、末端利用者に利益を与える。製品選択プロセスへの末端利用者のインプットの組み入れは、販売員と末端利用者とが直接打ち合わせをする間に（又は自動化システムの場合は販売時点で）生じ、特注した特徴が製品に含まれるよう末端利用者によって支払われた割増金を、販売時点で又は末端利用者が所望の製品企画（インプット）を提供するために連絡する任意の時点で得てもよい。特注製品を生産又は調製するために必要な原料の生産者は、通常は末端利用者によって支払われた価格プレミアムを共有し得ない。
【００２５】
塗料又は化粧品等のバルク材、汎用物質又は半日用品物質（semi-commodity material）の生産に関連する利益幅は、再販の利益幅よりも有意に低いかもしれない（例えば、一桁の利益幅対二桁の利益幅）。末端利用者へのアクセス及び/又は直接的な販売は、バルク材の生産者に望ましいだろう。というのも、大量生産者はその後、通常は販売時点で得られる利益幅の少なくとも一部を得ることができるかもしれないからである。しかし、大量生産者は通常は、販売の専門知識、流通網、組織、又は生産連鎖を介して原料の生産から販売時点まで横式に（horizontally）到達させるためのノウハウを有しないため、大量生産者が販売時点で関与することは困難である。大量生産者の企業は、販売組織及び/又はコンサルティング組織と比較して、生産組織に存在し得る経営技術及び組織的優先順位の差異に起因する非効率性にも支配され得る。
【００２６】
大量生産者が個々の末端利用者にして、末端利用者の所望の性能仕様に基づいて個人に合わせた調製品又は製品を調製する方法は、その他の点で生産連鎖への参加に対する経済的収益を独立に予想し得る仲介人を完全なレベルで排除することによって、生産及び流通コストのかなりの効率性を実現する方法を提供し得る。
【００２７】
したがって、集中的な1対1の治療又はコンサルティングを精通した当事者から得る方法が存在する。しかしかかるコンサルテーションは、知識及び情報を集めてコンサルテーション又は診断の質を継続的に改善する反復可能なプロセスの欠如によって制限される。従来の方法が長いコンサルテーション期間後に個人向けの特注プロセスを提供し得る場合、かかる学識を異なる末端利用者に分け与えることは困難であり、一部の場合では完全に主観的プロセスを基礎とする。末端利用者の主観的インプット及び客観的インプットの組合せに基づいて末端利用者のために具体的に開発される特注製品により、所望の性能特性を示す末端利用者へ販売するための製品を早急かつ確実に同定する手段を提供し得る。
【００２８】
WO 2004/091501 A2は、皮膚で観察される欠陥を治療するスキンケア製品を決定しかつ公式化する目的で、個人の皮膚構造及び機能をある時点で測定するプロセスを開示する。このプロセスは、個人の皮膚で少なくとも1つの生物測定値を得てデータセットを形成するステップ、及びこのデータセットに基づいて個人向けのスキンケア製品を作製するステップを含む。このプロセスは、生活様式のアンケートを個別に記入するステップをさらに含む。
【発明の開示】
【００２９】
発明の概要
本発明は、末端利用者の分析的測定又は末端利用者によって提供されるサンプルの分析的測定を介して取得した客観的インプット（基準）、及び末端利用者から取得される（例えばアンケートによって）主観的インプット（基準）に応じて特注製品を調製して、末端利用者向けに特注した高価な製品を提供する方法を含む。主観的インプットは末端利用者によって望まれる特注構成(customized formation)における性能基準（例えば機能性）に関するデータを含み得る。主観的インプット及び客観的インプットは、これらのインプットを、処方の1以上の既知の成分がどのようにインプットに影響されるかについて科学的に導き出されかつ整理された記述的概要（例えばデータベース）と比較することによって相互に関連付けることができる。
【００３０】
したがって、本発明は、少なくとも以下のステップを含む個人向けの特注製品を公式化する方法を提供する：
個人から決定される客観的データを入力すること、
個人から提供される主観的データを入力すること、及び
客観的インプット及び主観的インプットを経験に由来するデータと関連付けることによって、個人向けに特注した製品の処方を導き出すこと。
【００３１】
本発明の一態様は、特注の処方（又は公式）が客観的データのセットと主観的データのセットから導き出されるという事実に存在する。これは前記2種類のインプットデータのセットを経験に由来するデータと関連付けることによって達成される。経験に由来するデータは適合基準とみなすことができる。
【００３２】
本発明の別の態様によれば、関連付けはインプットに基づいて基本公式（basic formula）を（自動的に）選択すること、及び該基本公式を客観的インプット及び主観的インプットに基づき、少なくとも1つの適合基準に従って適合させることによって達成される。
【００３３】
本発明の別の実施形態では、原料、汎用製品又は大量生産品の製造業者又は提供者は、特定の末端利用者向けに特別に調製した製品を提供することによって、高い利幅の末端利用者市場にアクセスすることができる。製造業者は末端利用者によって提供されるインプット（主観的データ及び客観的データを含む）を組み入れて生産プロセスを改変し、それによって末端利用者向けの物質の特注ロット又はサブロットを調製する。この方法は、大量生産者に流通、混成、パッケージング又は卸売りの1以上の中間レベルを回避させ、それによってその他大量の商品生産物として販売し得るものに対する改善された利益幅を実現させることを可能にする。
【００３４】
本発明はまた、コンピュータープログラムがコンピューターで実行される際に上記の本発明によるプロセスを実行するのに適切なプログラムコードを有するコンピュータープログラムをも含む。コンピューター読取り可能な媒体に保存されたコンピュータープログラムだけでなく、コンピュータープログラム自体も特許請求される。
【００３５】
上述の及び以下に記載される特徴が、本発明の範囲から逸脱することなく、特定の組み合わせのみならず、他の組合せ又はそれ自体で使用できることが理解されよう。
【００３６】
本発明は例示目的のために実施形態によって図面で概略的に説明され、以下で図面を参照しながら詳細に説明される。この記載は本発明の範囲を限定する目的ではなく、単に本発明の好適な実施形態の説明であると理解される。
【発明を実施するための最良の形態】
【００３７】
好適な実施形態の詳細な説明
本発明のプロセスの一実施形態では、末端利用者から得た主観的インプット及び客観的インプットを経験に由来するデータベースと比較して、末端利用者向けに特注した製品を取得する。本発明のこの態様では、末端利用者によって同定された主観的インプットが1以上の客観的インプットを表す実際の試験結果と適合される。主観的インプット及び客観的インプットの平衡化が、導き出し得る特注製品処方に対するテンプレートを与える。客観的インプット及び主観的インプットを含むテンプレートは、経験に由来するデータベースに対して関連付けられる。関連付けは、特定の変数が別の作用について同定されることによって着手されるべき自動化選択プロセスを可能にする。変数（例えば末端利用者の血流中の栄養水準）が同定され、末端使用者の主観的インプット及び客観的インプットと適合されると、末端利用者が悩まされるか若しくは末端利用者がその他改善したいと望む症状又は状態のいずれかに感受性を示し得る変数に対処し得る組成物を公式化できる。
【００３８】
客観的照会システムは、多くの個人に関する治療データが保存されるシステムである。このデータベースは増加する個人由来のより多くのデータを含むことで増強される。次いでこれは、データを分析できかつ特注生産の精度を改善する科学的原理の適用を可能にする。
【００３９】
次いで、客観的インプット及び主観的インプットに由来する情報が、販売地又は末端利用者が主観的インプット及び/若しくは客観的インプットを提出した地点から遠隔であり得る施設で着手された生産プロセスを介して、末端利用者向けの具体的な製品の処方に組み入れられる。製品の調製は第三者の調製作業（operation）又は社内調製作業で行ってもよい。調製中に大量形態（bulk form）で入手可能な1以上の成分が混合又は混成される。特注製品は、調製品の各成分の相対的比率を変更することによって、存在する成分の選択を変更することによって、及び/又は処方の形態を変更することによって調製される。調製品は任意の物理的形態で調製し得る。個別用量として、錠剤、粉末、練り粉、油、ワックス等の調製品が含まれる。
【００４０】
主観的及び客観的データがコンピューターに入力され、経験に由来するデータベースと相互に関連付けられた後、分析され、特注の具体的な処方が作製される。次いで、この処方が自動化フォーミュレーター若しくは他の装置又は遠隔に位置する機器へ伝送し得る電子信号へ変換され、所望の特性を有する末端利用者向けの調製品が所望の量で生産される。
【００４１】
調製された時点で製品は末端利用者へ直接発送されてもよいし、又は代替的に末端利用者が支払いをし、かつ完成品の受領を完了し得る販売地に配達してもよい。
【００４２】
末端利用者は、販売地を訪れることによって、又は大量生産者/フォーミュレーターの代行人若しくはその組合せが訪問することで、このプロセスを開始し得る。例えば、個人は個人の皮膚状況用に具体的に設計したスキンローションを要望し得る。ローションは、例えば緩和剤、水、油及び/又は個人用ケア剤を含み得る。本発明のプロセス中の客観的インプットは個人の状態（皮膚の保油性の程度、質感、及び皮膚の健康状態を反映し得る他の指標を含み得る）の分析が含まれよう。客観的インプット及び主観的インプットは、具体的な成分（活性剤等）の用量及び同一性、並びに油及び緩和剤を含む成分の相対的比率を判定するのに役立ち得る。
【００４３】
末端利用者によって入力される主観的データは客観的データと適合されて最終的な処方が開発される。主観的インプットは、例えば末端利用者から生活様式の情報及び/又は所望の性能特性を導き出すことによって取得し得る。主観的データは、例えば第三者（技術的に訓練された人）とのコンサルテーションによって、又は電子ネットワークを通じてアクセスされるアンケートを公開した文書を介して完成させることによって、販売時点で取得し得る。別の実施形態では、コンサルテーションは薬剤師、医師又は他の専門家の存在下で実施される。
【００４４】
特注製品は、任意の種類の化粧品又は栄養調製品であってもよいが、特注生産に適切な、末端利用者による内服用又は外用のための他の任意の種類の調製品であってもよい。
【００４５】
スキンクリーム等の処方に関して、主観的データは、末端利用者に提供される皮膚の所望の外見及び/又は所望の皮膚の色調及び/又は認知された製品の性能特性を含み得る。他の主観的データは、太陽への露出の程度、従前の化粧品用途、喫煙習慣、運動/ダイエット、睡眠パターン、アレルギー、姿勢等を含み得る。特別な栄養製品（栄養補助食品若しくは栄養剤又は栄養補給食品）に関する処方の場合、主観的データは、食物/規定食、飲酒及び喫煙習慣、運動習慣、処方状況（ホルモン及び非ホルモン処方等）、病状及び病歴（家族歴）、環境曝露、アレルギー等を含み得る。主観的データは電子形態で収集され、客観的インプットと適合される。相互関連付けプロセスにより、客観的インプット（すなわち、末端利用者の健康状態を客観的に反映し、盲人分析技術を介して取得し得るデータ）及び主観的インプット（すなわち、末端利用者の所望の特性及び末端使用者の状態に対する個人的な印象を反映するデータ）の両者を考慮した、バランスの取れた処方をもたらす。したがって、処方は末端利用者の健康状態及び主観的要望を考慮することによってバランスが取られる。
【００４６】
処方が導き出されると、これを最終使用者向けの規定量の特注製品を規定のパッケージ型で生産するための製造プロセスで使用し得る。最終消費者に提供される製品の生産は、バランスの取れたケア処方を保存しかつ自動化プロセスへこれを伝達し得るシステムとネットワーク接続される自動化システムで実施し得る。最終消費者から確認済みの注文を受領した時点で、信号及びデータパケットを生産現場に送ってもよい。例えばスキンローションの場合、バランスの取れたケア処方によって規定される個々の成分の所望量を個々のパッケージサイズに添加することが可能な調製ライン（preparation line）に情報を送ってもよい。したがって、調製されかつパッケージングされる調製品は、最終消費者を独自に同定する様式で同定される。更なる自動化プロセスでは、生産した製品の個々のパッケージは、最終消費者への発送又は配達用に調製される。パッケージは最終消費者に直接送達されてもよいし又は最終消費者の受け取りのために最初に販売地に送達されてもよい。
【００４７】
最終消費者向けに調製された調製品に存在する1以上の成分の生産者は、本明細書に記載されるプロセスの1つ又は全てを管理する権利又は責任を有し得る。したがって、例えばスキンオイルの生産者は、生産施設から遠く離れた場所に位置する店頭雇用者を有し得る。末端利用者と直接的な対面交渉が可能であるため、遠隔地の店頭雇用者が望ましいかもしれない。このプロセスは、調製品中に使用される1以上のバルク成分の生産者に末端利用者との直接的なアクセスを可能にする。末端利用者との直接的なアクセスにより、業務連鎖（business chain）の高価値部分への製造業者のアクセスを可能にする。一実施形態では、製造業者は、末端利用者の所望の製品の基礎成分の製造から販売及び末端利用者とのコンサルテーションまでを横式に統合するものとみなされ得る。
【００４８】
より高価値の市場にアクセスすることによって、バルク商品の製造業者は、通常は低価格又は低利益幅の商品市場から達成できる利益幅を有意に改善し得る。
【００４９】
バランスの取れたケア処方を調製する際、以下の行為の1以上を任意数の追加の行為と共に着手してもよい。最初のステップは末端利用者の病状の分析（例えば、客観的インプットを収集すること）を含み得る。分析は、例えば化粧品において、湿分（水分補給）、皮脂（油）、皮膚のpH、皮膚の弾力、皮膚の色、皮膚の色素沈着、皮膚の関門機能（TWEL）、皮膚の温度及び皮膚の表面構造を含み得る。分析的測定は、1以上の具体的な生理学的効果及び/又は皮膚効果を示し得る処方の成分と関連又は相関し得る。かかる測定は、最終消費者の特色の決定を助ける遺伝子試験を含み得る。これらのパラメーターを測定するための多くの方法が従来知られている。栄養補助食品において、広範な物質（ビタミン（A、B1、B2、B6、B12、C、D、E、K、葉酸）等の物質、ミネラル（Ca、Mg、Fe、Cu、Zn、Se、I）及びその他（β-カロチン等）を含む）、並びに糖尿病、高血液脂質、子宮内膜症、胆嚢、繊維筋痛、フルクトース不耐症、ラクトース不耐症、乾癬等だけでなく、疫患及びその治療に関する一般的な健康分析、腎臓結石、胸部痛、頭痛及び片頭痛、痙攣等に関して、血液、血清、尿、便、汗、唾液、頬粘膜細胞及び髪を含む広範な身体構成要素中で測定することができる。
【００５０】
末端利用者の分析と、客観的インプットに対する主観的インプットの平衡化とは、分析後に実施することが好ましい。末端利用者の分析結果（例えば、客観的インプット）の診断は医学分析を含み得る。製品の調製又は末端利用者由来の主観的インプットを改変するためのコンサルティング前に、客観的データを末端利用者に伝えることが好ましいかもしれない。診断結果の通信は、製品にどのような性能特性を望み得るかという末端利用者の認識にかなり作用し得る。末端利用者への分析的結果及び診断の通信は、販売地でのコンサルティング状況下で、コンサルティング能力のある個人への直接的なネットワーク接続を介して又は自動化システムを介してなし得る。コンサルティングは、末端利用者由来の主観的インプットを最終製品へ組み入れのために改変する機会である。例えば、オリーブ色の肌を望む青白い肌の人は、過剰な皮膚の人工カラーリング時に雀斑が生じ得ることを忠告し得る。コンサルテーションは、末端利用者と長期的な製造供給契約を確立するために、販売と併用して着手してもよい。
【００５１】
特注処方において不可欠かつ最も有益な成分を決定するために、客観的データ及び主観的データは経験的に開発されたデータを含み得る科学的データのデータベースと比較される。かかる科学的データは、ヒトの症状の論文、健康百科事典、古文書に由来するデータ、事例証拠、又は末端利用者が先に特注した1以上の処方又は調製品に由来する科学的に付加された性能観察等の、多くの供給源に由来し得る。このデータベースは、迅速かつ再現可能な分析を与えるために、インデックス付きの電子的形態であることが好ましい。1以上のアルゴリズムを用いてインプットをデータベースと平衡化又は比較し得る。処方は、特定の重要工程のタイミング及び特殊化した調製品の投与若しくは適用に付随し得る生理学的変化を示しかつ同定する手助けとなり得る、モデル性能アルゴリズムに対する理論的基礎で試験し得る。
【００５２】
本明細書で使用される「治療」という用語は、任意の様式（例えば、経口的、局所的、皮下）での物質又は組成物の投与を指し、医学的に診断された疾患又は症状への対応としての、処方された薬剤若しくは他の医学的に誘発された活性の投与を要しない。
【００５３】
本発明の関連で、「客観的データ」という用語は、分析的な生理学的試験値及びパラメーターを含む。
【００５４】
本発明の関連で、「主観的データ」という用語は、末端利用者の身体構造に関する非分析的データを含み、かついわゆる生活様式の情報をも含み得る。
【００５５】
「特注製品」という用語は、客観的及び主観的な基準分析に対応する特定の使用者向けに調製された混成物、混合物及びパッケージ型式を含む。
【００５６】
本明細書で使用される「処方」という用語は、特注製品の調製の基礎となる配合又は製法（recipe）を指す。
【００５７】
「科学的方法」という用語は、最適解に到達させるために変数を付加的に変化させることによって、異なる変数を平衡化するプロセスを指すべく本明細書で使用される。
【００５８】
本発明の一実施形態では、末端利用者からのインプットを収集し、生産プロセスを改変するために使用して、末端利用者向けに特別に調製した製品を調製する。末端利用者からのインプットには客観的インプット及び主観的インプットが含まれる。このプロセスは、例えば1時間当たり10〜10,000ポンドの物質を生産する、大規模な工業型のプロセスであり得る。あるいは、この生産プロセスは従来の薬剤師型の混合プロセスであって、個人投与向きの少量（5mg）から複数回用量の異なる物質を個別に混合し、混成しかつパッケージ化等して、顧客の具体的な短期ニーズを満たす、上記プロセスであってもよい。
【００５９】
客観的インプットは、例えば、組織サンプルで又は末端利用者の他の医学的分析、生理的分析若しくは皮膚科学的分析によって実施し得る分析的測定を含む。分析は、保油性、質感、配色又は皮膚の他の性状に関する皮膚の分析を含み得る。他の試験は、体液（尿、血液又は汗）の分析を含んでもよいし、例えば電解質レベル、及びヒト症状の他の態様を判定するために実施されてもよい。
【００６０】
主観的インプットは、特定の末端利用者向けに調製した特注製品において望まれるであろう広範な性能特性を含み得る。末端利用者は、例えば、髪に高い艶を与える製品を望むかもしれない。異なる末端利用者は、低度の艶ではあるが高ボリューム（high body）を与える製品を好むかもしれない。他の主観的インプットは末端利用者の生活様式の選択を含み得る。かかる生活様式の選択は、例えば末端利用者が通常いる気候環境、末端利用者が経験する日常的な身体運動の程度、太陽又は煙への暴露、タバコの消費等を含み得る。
【００６１】
最終消費者から得た客観的インプット及び主観的インプットは、末端利用者によって望まれる処方を提供するために、経験に由来するデータベースと平衡化し得る。例えば、末端利用者は、頭皮への低い影響、薄い髪用のボリューム（body）、及び低い艶を含む特性を示すシャンプー又はヘアケア製品を要求するかもしれない。次いで主観的データが、末端利用者が有することを示す末端利用者の組織の分析的測定値（例えば保油性の皮膚）と組み合わされ、関連付けられ得る。経験に由来するデータベースとの比較は、非意図的な影響を生じないように処方を同時に平衡化しながら末端利用者の主観的インプットの正当性を立証する方法を与える。平衡化決定（balanced determination）はヘアケア製品の選択に重要でないようにみえるかもしれないが、特別な処方は例えば油性の頭皮を脆弱毛と相殺し得る。基礎症状の同定は、明らかな相殺効果（頭部の皮膚保油性及び手の皮膚乾燥）を平衡化して、全体的に中性の、非脱水化及び非皮脂活性化調製品を提供できる製品の処方を可能にし得る。次いで、特殊添加剤又は他の物質を添加するか又は平衡化することによって主観的データが処方に組み入れられ得る。完成品は、最終消費者の所望の性能特性を与えるよう具体的に調製される。
【００６２】
栄養補助食品において、末端利用者の健康及び規定食状況の主観的及び客観的分析に基づく本発明は、末端利用者が具体的な生活様式を前提としてより高いレベルでバランスの取れた規定食を取得することを可能にする、栄養補給製品を提供する。分析結果の受領時における末端利用者のコンサルティングは、生活様式の変更を助け得る。生活様式の変更は、末端利用者が最新の特注栄養補助製品を求めている際に、その後の試験及びコンサルテーション中に決定し得る。
【００６３】
末端利用者向けに特注した製品の処方は、必ずしも症状を促進しない。単に症状を促進し得るホメオパシー医療とは対照的に、個人の平衡化した主観的インプット及び客観的インプットに基づく特注製品は、即時的な及び/又は明らかな健康問題（例えば症状）にのみ対処する調製品の投与を要する様式というよりむしろ予防様式で使用し得る。個人は、例えば良好なヘアトリートメントを与える調製品の取得に対する案内を求め、かつ同時に同一の調製品又は過剰な鼓腸を低減し得る異なる製品の調製物に対する助言を求め得る。乾燥した髪又は過剰な鼓腸等の症状に関して医学用語が存在し得ることに関係なく、非常に多くの市販製品が大部分の個人向けの平衡化処方におけるこれらの症状を治療するために一般に入手可能である。主観的インプット及び客観的インプットの提出と、変数、性能特性及び生理学的作用に関連する、経験に由来するデータベースに対するデータ（すなわちインプット）の、技術的に訓練したコンサルタントによる比較とにより、医師の介入又は規制物質の適用若しくは投与を要することなく、最終消費者に最適解を提供し得る。
【００６４】
経験に由来するデータベースは、医学界で既に広く知られかつ広く受け入れられたデータを含み得る。経験によるデータベースは、ヒトに必須の栄養素の行列を含んでもよく、栄養素の同一性を用量域と関連付けてもよく、そしてこの栄養素が所望量で存在しない場合には、健康又はヒト症状の別の態様に対するこの栄養素の効果とさらに関連付けてもよい。かかる栄養素の例には、ビタミン、ビタミノイド（vitaminoid）、ミネラル、微量元素、アミノ酸、植物化合物（phytocompound）、抗酸化物質、藻及び補酵素が含まれる。かかる化合物及び典型的な用量域の例は下記で作表される。
【表１】
2007518170.tif 000003
【表２】
2007518170.tif 000004
【表３】
2007518170.tif 000005
【表４】
2007518170.tif 000006
【表５】
2007518170.tif 000007
【表６】
2007518170.tif 000008
【表７】
2007518170.tif 000009
【００６５】
経験に由来するデータベースは、科学的原理によってヒト症状の研究を介して導き出される任意のデータをさらに含んでもよい。かかる経験的データは病状に限定されず、例えば髪、皮膚、ケラチンに対する科学的試験によって、及び様々な化合物の試験すること及び髪、皮膚等への該化合物の効果を判定することによって決定される物理的影響をも含み得る。
【００６６】
任意の具体的な化合物の効果は、末端利用者から取得した主観的インプット及び客観的インプットとの関連付けを介してデータベース中で関連付け得る。例えば年齢及び性別に関する末端利用者のアンケートから得たデータは、1以上の栄養素又は他の成分の所望の用量域に影響し得る。これは、例えば血液サンプルから取得した栄養素の濃度等の客観的データと関連付け得る。次いで、これは末端利用者によって提供される主観的データ（例えば、より深い眠りを得たい又は日中を通じて高活力を有したいという末端利用者の要望等）とさらに関連付けられる。異なる栄養素化合物を、末端利用者の主観的データ及び客観的データとの関連と、末端利用者のアンケートから得たデータと共に関連付けることの一例は、下記の表で提供される。
【００６７】
本発明の方法の一実施形態では、主観的及び客観的インプットの平衡化並びに/又は最終生産物若しくは最終的な処方の同定は、医学的に訓練された個人によって作製される必要はない。
【００６８】
本発明の好適な実施形態では、特注製品の購入を考慮している個々の末端利用者と意見を交換する人は医師ではない。しかし、個人と連絡を取るコンサルタント又は店頭オペレーターは技術的に訓練される。技術的な訓練は、末端利用者向けの処方を開発する際に科学的方法が利用されることを保証する。科学的な訓練は、コンサルタントが例えばホリスティック治療における実践者によって到達し得ない知識の程度及び技術レベルで操作することを可能にする。他方、コンサルタントは医師ではないので、病状の治療を勧める立場にはない。したがって、末端利用者に提供されるサービスは、健康促進効果について知られる物質に限定された助言及びコンサルテーションによる、規制のない化粧品及び栄養補助食品を含む用途に制限され得る。
【表８】
2007518170.tif 000010
【００６９】
2007518170.tif 000011
【００７０】
2007518170.tif 000012
【００７１】
もちろん本発明の方法は、化粧品組成物の調製にも使用し得る。化粧品組成物の典型的な成分には以下が含まれる。
【００７２】
レチノール（ビタミンA）
-これは線（line）及びしわの深さを有意に低減する
-これは皮膚の弾力を増加する
-これは皮膚の奥底のUV損傷を積極的に保護する
-用量域：0.005-0.2％
リン酸アスコルビンナトリウム（ビタミンC）
-これは皮膚中で活性化されてビタミンCを遊離する
-これは有害な酸化剤を不活化する
-これはコラーゲン合成を刺激する
-用量域：0.2−5％
ビタミンEアセテート
-これは皮膚中で遊離基を非活性化する
-用量域：0.5−5％
パンテノール（プロビタミンB5）及びフィタントリオール
-パンテノールは湿分を保持する皮膚の能力を促進する
-フィタントリオールはより新鮮で、より滑らかな皮膚に関するパンテノールの効果を増強する
-用量域：0.1-5％
ビサボロール（セスキテルペンアルコール）
-これは皮膚の治療プロセスを促進する（抗炎症効果）
-用量域：0.01-1％
上記物質は例として提供される。もちろん化粧品組成物を調製するために、他の多くの美容上有効な成分が本発明のプロセスで使用され得る。更なる成分には、これに限定されるものではないが、γ-リノレン酸（GLA）、補酵素Q10、ビタミンFリポソーム、ヒアルロン酸、並びにホホバ油及びマカダミアナッツ油を含む油が含まれる。共通の化粧品成分（乳化剤、安定化剤、増粘剤及び芳香剤等）が含まれ得る。
【００７３】
化粧品の調製は、多段階混合操作で実施し得る。多段階混合プロセスを用いることによって、化粧品中の異なる成分とのあらゆる有害反応性又は不適合性を回避することが可能である。
【００７４】
末端利用者は、例えば末端利用者の肉体的特徴、感情的特徴、栄養に関する特徴及び個人的に認知する特徴に関するデータを提供するために、アンケートを完成させてもよい。アンケートは主観的データ及び/又は客観的データを収集するために使用し得る。アンケートにより末端利用者の個人的な生活様式、食習慣、微量栄養素消費、処方薬療法、非処方薬療法及び病歴に関する詳細を調査し、取得し得る。アンケートは客観的及び主観的な病状データと組合せた一般的な規定食データ並びに一般的な同定データを含み得る。試験処方の調製に進む前に基本的情報を決定するための顧客との最初のコンサルテーションにおいて、電子化されたアンケートを完成させるよう末端利用者に要求し得る。アンケートは末端利用者の名前、住所、年齢及び性別等のデータを捉える。さらに取得されるデータには、末端利用者が有しかつ知り得る任意のアレルギー又は反応性を含み得る。
【００７５】
客観的な病状データには、診断されているか否かに関らず、例えば以下の医学的に診断される症状のいずれか1つに対する末端利用者の反応を含み得る；貧血症、癌、子宮内膜症、GERD（胃食道逆流症）、潰瘍(sores)（アフタ、ヘルペス）、IBS（過敏性腸症候群）、MS（多発性硬化症）、潰瘍（ulcers）、関節炎、カンジダ、胆嚢、心疾患、甲状腺機能亢進、腎疾患、乾癬、UTI（尿路感染症）、喘息、糖尿病、繊維筋痛、肝炎、甲状腺機能低下、ラクトース不耐症及び酒さ。主観的な病状データは、末端利用者の感染への傾向、風邪若しくは感染の頻度、アレルギーの存在、治癒能力、打撲の傾向、及び必ずしも医学的に診断され得ず、かつ末端利用者の主観的決定によって影響し得る他の情報又はデータに関して、末端利用者に問うこともできる。
【００７６】
アンケートは末端利用者の皮膚、歯及び爪、内臓、骨及び関節、トラウマ等の頭部の（head）及び身体的経験、並びに姿勢及び活力レベルの状況に関するデータをさらに求め得る。
【００７７】
別の態様では、アンケートは末端利用者の感情的又は心理学的状態について調査し得る。アンケートは、例えば末端利用者が不機嫌であるか又は落胆しているか否かを問わず、ストレスが溜まっているか、神経質かつリラックスできないか、物憂げかつ短気であるか、活力レベル、不機嫌さ、及び疲労について問うこともできる。家族歴データ、化学物質への曝露又は過敏症状態も含まれ得る。
【００７８】
アンケートに加えて、データベース用の客観的データを提供するために、末端利用者に一連の分析的試験が提供され得る。皮膚の水分補給、皮膚表面の脂質構造、皮膚を介した水上輸送及び皮膚構造等の基準は、市販の分析器（Courage + Khazaka Electronic GmbHから入手可能なもの等）を介して決定し得る。
【００７９】
もちろん、微量栄養素のレベル（末端利用者のビタミン、ミネラル及び他の物質のレベル等）を測定するために体液の分析に着手し得る。かかる体液には唾液、髪、血液、頬粘膜等が含まれる。かかる試験は、市販の診断キット（抗酸化剤分析又はミネラル分析用のGreat Smokies Diagnostic Laboratoryキット等）で着手し得る。
【００８０】
末端利用者によって提供される組織サンプルの分析に着手して一塩基多型を検出し、それによって末端利用者が製品調製物が影響し得る特定の疾患又は身体状態に対する任意の素因を有するか否かを決定し得る。
【００８１】
これらの試験及びアンケートは、最初の調製時に一回だけ提供してもよいし、又は末端利用者向けの個別的な製品調製物の同定及び/又は最適化を手助けするために、長期にわたって反復してもよい。
【００８２】
客観的データは、多くの分析技術及び測定技術を介して取得し得る。身体組成は身体インピーダンス分析（BIA）等の技術を用いて測定し得る。BIAは個人の身体組成（除脂肪質量、脂肪質量、及び体内水含量を含む）の評価を作製することができる。利用できる場合には末端使用者のBIAの前歴、及び現在のBIAの両者が客観的インプットとして提供される情報に含まれ得る。栄養レジメン及び/又は運動を経た後の末端利用者の反応は、個人へのストレス及び/又は影響、並びに結果として生じる個人の身体の客観的測定基準で証明された効果を関連付ける方法を提供し得る。
【００８３】
コラーゲン構造はOsteoson-Collagenoson装置等の超音波を高い周波数（22MHz）で用いて測定し得る。機械的性質等の皮膚パラメーターは、例えばCourage＋KhazakaによるRVM600等のReviscometerを用いて測定することができる。皮膚中のコラーゲンの機械的特徴は、例えばヒト組織（コラーゲン及びエラスチン繊維等）の弾性及び粘弾性を提供し得る。
【００８４】
骨密度もこのプロセスに客観的インプットを提供し得る測定値である。骨組織又は骨組織の質量における擾乱は、例えば骨量の減少量、客観的基準に適合する個人に対して予測される骨量の減少量、骨の生理的年齢、及び骨粗鬆症の予測時期を測定し得るOsteodin装置で測定し得る。
【００８５】
遺伝子データも客観的インプットに含まれ得る。一般的な集団と比較して遺伝子中に小さな変化を有する個体を示す遺伝子分析（一塩基多型（SNP）を含む）が客観的インプットに含まれ得る。SNPは特定の疾患の高リスクと関連付けられ得る。
【００８６】
個人は、例えば頬組織ぬぐい液を提供することにより遺伝子分析に付託してもよい。任意のSNPの同定が個人の客観的データベース中に入力され得る。SNPは経験に由来するデータベース中で症状（心臓血管の健康状態等）；ビタミンの代謝；生体異物及び環境有害物質（GSH-S-トランスフェラーゼ）の代謝等の解毒作用；例えば遊離基を中和して、その結果、老化及びSOD等の様々な疾患に関与する分子を破壊する抗酸化酵素；骨の健康（例えば骨粗鬆症リスク及びビタミンD受容体、コラーゲン-1-α1-SP1-多型）；炎症；インスリン感受性（II型糖尿病のリスク等）；ホルモン代謝（エストロゲンの代謝的破壊）；摂取した化合物（アルコール及びニコチン等）の代謝と関連付けられ得る。
【００８７】
体液は末端利用者の状態に関する更なる客観的データを提供することもでき、かつ末端利用者用のデータベースデータ（例えばインプット）をさらに強化し得る。従来から知られかつ広く適用される試験（尿検査、血液検査、タンパク質減少試験、及び/又はグルコース試験等）は、客観的インプット用のデータを提供し得る。2-16ヒドロキシ-エストロゲン比；N-t低分子タンパク質；デオキシピリジノリン（DPD）架橋；DNS-酸化（8-OHdG）；8-ヒドロキシ-デゾキシ-グアナシンに関して試験する。唾液の試験は、性ホルモン状態（17-β-エストラジオール、プロゲステロン及びテストステロン等）と共にDHEA及びコルチゾール結果を提供することができる。糞便物に対する試験は、M2-Pk、ヘリコバクターピロリ抗原、フルクトース-ソルビット及びジレット消化不良を介して、ポリープ症及び大腸癌に関する示唆を提供し得る。
【００８８】
客観的インプットは最初にデータベースに保存し得る。客観的インプットは、経済的関心が長期に継続販売するための製品を末端利用者に提供するというよりむしろ、分析的データを提供することにある第三者（医師又は栄養士）から取得し得る。主観的インプットは、販売地での個人とのコンサルテーション又はネットワーク接続されたコンピューター装置を介したアンケートによって取得し得る。
【００８９】
客観的インプット及び主観的インプットの平衡化は、コンピューター又はマイクロプロセッサ装置の使用により実施し得る。図２は、末端利用者からの主観的インプット及び客観的インプットを経験に由来するデータベースと関連付ける方法を実施するために使用し得るコンピューターシステムの略図である。このコンピューターシステムにおいて、経験に由来するデータベース、客観的インプット及び主観的インプットはコンピューターシステムの1以上のCPU又はメモリーに永久的に又は一時的に保存し得る。コンピューターハウジング102がCPU106、メモリー108（例えば、DRAM、ROM、EPROM、EEPROM、SRAM、SDRAM及びFlash RAM）及び他の任意の特殊目的の論理回路（例えば、ASIC）又は設定可能な論理回路（例えば、GAL及びリプログラマブルFPGA）を含むマザーボード104を収容する、コンピューター100が本発明の方法を実行する。コンピューター100は複数の入力装置（例えばキーボード122及びマウス124）、及びモニター120を制御するためのディスプレイ・カード110も含む。さらに、コンピューターシステム100は、適当な装置バス（例えばSCSIバス、エンハンスドIDEバス又はウルトラDMAバス）を用いて接続された、フロッピーディスクドライブ114、他の取り外し可能なメディアドライブ（例えば、コンパクトディスク119、テープ及び取り外し可能な光磁気メディア（図には示されない））、及びハードディスク112、又は他の固定化高密度メディアドライブをさらに含む。コンピューター100はさらに、同一の装置バス又は他の装置バスで接続された、コンパクトディスクリーダー118、コンパクトディスクリーダー/ライターユニット（図には示されない）又はコンパクトディスクジュークボックス（図には示されない）を含み得る。コンパクトディスク119はCDキャディ中に示されるが、コンパクトディスク119はキャディを必要としないCD-ROMドライブに直接挿入することができる。さらにプリンター（図には示されない）は、任意の主観的インプット又は客観的インプットを含む比較結果を印刷した一覧も提供し、結果、末端利用者はこのプロセスに入力されたデータを末端利用者によって入力された実際に望まれるデータと比較し得る。
【００９０】
上述されるように、このシステムは少なくとも1つのコンピューター読取り可能なメディアを含む。コンピューター読取り可能なメディアの例は、コンパクトディスク119、ハードディスク112、フロッピーディスク、テープ、光磁気ディスク、PROM（EPROM、EEPROM、Flash EPROM）、DRAM、SRAM、SDRAM等である。コンピューター読取り可能なメディアのいずれか1つ又は組合せで保存されることで、本発明はコンピューター100のハードウェアを制御しかつコンピューター100がヒト使用者と交信することを可能にするソフトウェアを含む。かかるソフトウェアは、これに限定されるものではないが、デバイス・ドライバ、オペレーティング・システム及びユーザー・アプリケーション（開発ツール等）を含み得る。同時に、コンピューター読取り可能なメディア及びそれに保存されたソフトウェアが、入力した客観的データ及び主観的データの経験に由来するデータベースとの関連付け及び比較を実行するための、本発明のコンピュータープログラム製品を形成する。本発明のコンピューターコード装置は任意のインタープリター型又は実行可能なコード機構であることができ、これに限定されるものではないが、スクリプト、インタープリター、動的リンク・ライブラリ、Javaクラス、及び完全に実行可能なプログラムを含む。
【００９１】
図５は、バランスケア（BC）製品の特注生産を実行する中枢ITシステム構造の略図を示す。この構造はウェブサーバーとして実行し得るニューラルネット・エキスパートシステム（NNES）を含む。NNESに入力されたデータは客観的データ（図5の記載中の実験結果等）及び主観的データ（図5の記載中のアンケート結果等）である。NNESは医療照合システム（medical verification system）(MVS)及びデータベースに保存されたルールセット（RULESET）を含む。ルールセットはNNESによって生じる決定ルールであり、所与の決定ルールは、上記のように導き出された処方に従って最終的な特注調製品に添加されるべき化合物及びその化合物の量を記載する。かかる決定ルールは一例は：
顧客が「膵臓機能不全を有する」場合に、「公式に50〜100mgのγ-トコフェロールを添加する」
であり得る。
【００９２】
NNESによって生じる決定ルールは、例えば化合物、アンケートの項目等によって分類されて、システム容量及びシステム性能を改善し得る。さらに、ルールセットは、標準作業中に決定ルールが追加され、変更され及び/又は削除され得るように、編集可能に設定することができる。
【００９３】
NNESの医療照合システム（MVS）は、RULESETの上記各決定ルールの「医療品位（medical integrity）」を保証する。MVSは順に、医療知識に関する決定ルールの正当性を判定する医療ルールセットに頼る。かかる医療ルールの単純な例は：
「γ-トコフェロールの用量が1日につき1.5gより大きい場合は」警告であり、
より複雑な医療ルールの一例は：「γ-トコフェロールの用量が一日当たり750mgより大きく、かつ顧客が肝疾患を有する場合は」警告
である。
【００９４】
決定ルールがMVSのルールに違反する場合、システムは全ての使用者に警告し、処方（既に製造された場合は調製した製品）を無効にする必要がある。したがって、MVSは新たに公開された医療知識が照合システムに加えられる際に非常に役立ち得るセキュリティー層を提供する。MSVの管理がヘルスケアの専門家によってのみ実行され得ることが強調されるべきである。このため、このシステムは、全システムの様々な部分及びモジュールの使用及びこれらへのアクセスを認可された人のみに制限する（例えばヘルスケアの専門家のみにMVSへのアクセスを可能にする等）使用者権利のセットを提供する管理アプリケーションモジュールを含む。
【００９５】
既に上述されるように、NNESは2つの供給源からのインプット（すなわち客観的データインプット及び主観的データインプット）を処理し、処理結果がNNESと接続されたデータベースに保存される。該データベースは図5に示される実施形態でセントラルITデータベースCITDBと呼ばれる。このデータは標準形式（マークアップ言語（例えばXML）等）でNNESに入力され得るが、他の適切な任意のデータ形式を使用することができる。データの入力はNNES及び/又はCITDBと離れた位置で行うことができるため、データはセキュア接続（SSL）を用いたウェブアプリケーションモジュールを介して伝達し得る。
【００９６】
このシステムに入力される客観的データ及び主観的データは以下の3つのカテゴリーを含むカテゴリーに構造化し得る（各カテゴリーは異なるNNES動作又はNNES動作の組合せを引き起こす）。第1カテゴリーは不変のデータ、すなわち例えば性別、目の色等、時間と共に変化しない末端利用者のデータである。第2カテゴリーは時間と共に変化するデータ（例えば末端利用者の年齢、特定の疾患のリスク等）であり、第3カテゴリーは（必ずしもそうであるとは限らないが）時間とともに変化し得るデータ（例えば末端利用者の体重、疾患等）である。第1カテゴリーにおいて、必要なNNES動作はデータを一度読み出すこと及び保存することを含み得る。第2カテゴリーにおいて、必要なNNES動作は、所与の顧客に関連する処方を時間とともに自動的に適合させることであり、第3カテゴリーにおいて、NNESの必要な動作は更新したデータの収集を定期的に誘発することであり得る。
【００９７】
次いで、NNESは末端利用者のパラメータ（第2及び第3データカテゴリー）の変更に適合させることができ、それによって処方中の成分及び/又は用量を変更させるように設計することができる。これは例えば以下の場合に生じ得る：末端利用者が年を取ることは（第2データカテゴリー）用量の可能な自動的変化に関連する；末端利用者の病状の変化（第3カテゴリー）は成分の可能な変化に関連する；新たな医療知識は利用可能な季節要因（夏、冬、アレルギーの季節、インフルエンザ等）となる。追加の特徴は、個別の栄養補助食品、例えば異なる環境条件、疾患、経済基盤を有する非インドヨーロッパの国々又は熱帯の国々に旅行する末端利用者向けの特別な処方等の提供であり得る。
【００９８】
NNESの作業の流れは、以下を任意の順序で、好ましくは提供される順序で含み得る：
１．2種類の供給源（客観的データ及び主観的データ）由来のインプットを収集しかつ集積し、CITDBに生データを保存すること。
２．決定ルールのセットを用いて末端利用者のプロファイルを作成すること（又は回帰末端利用者向けにプロファイルを訂正/完成すること）。
３．処方を作成しかつCITDBにこれを保存すること。
４．製造システム（ウェブサービス/XML）に処方を転送すること。
【００９９】
3つのカテゴリーの構造は、全て（末端利用者）のプロファイル及び処方をNNESのデータベースのヒストリーファイルに保存することによって支持され、それによってNNESプロファイル及び処方歴が提供される。このシステムの長時間の操作にわたって、このヒストリーファイルはプロファイルの変更に基づく研究、年配の末端利用者の処方歴に基づく新規末端利用者へ推薦に役立ち得る知識管理システムの基礎を形成する。
【０１００】
既に上述されるように、バランスの取れたケア製品の特注生産のシステムは、末端利用者（例えば顧客）との対話を含んでもよく、末端利用者が積極的に「独自の」製品を作製しかつ改良する。この対話プロセスを支援するために、このシステムは様々な供給源から（例えばコールセンター、インターネット・アプリケーション（ウェブサイト）、POS等から）インプットを収集するカスタマー・リレーションシップ・マネージメント(CRM)モジュールをさらに含み得る（図5の描写に示される）。情報及びデータの収集は、CRMモジュールの一部であり得るカスタマー・フィードバック・システム（CFS）を介して行ってもよい。CFSの主な課題は様々な供給源から顧客からのフィードバックを収集し、保存し及び構造化することである。
【０１０１】
CRMモジュールの目的は多様であり、特に、優れた顧客サービスの基盤を構築すること；システムの対話ウェブサイトのリアルタイムでの独自化を可能にすること；キャンペーン管理を提供すること；顧客の行動に対する分析機会を提供すること（例えばOLAP及びデータマイニングを用いて）等を含む。これらの操作は、データベースCITDBへの高容量アクセスを含み、その結果CITDBを複製し（図5に示される）、CRMモジュールを複製CITDBと接続して製造システムの性能劣化を回避するのに有利であり得る。もちろん、CRMはCRM解答を無料で主催するアプリケーション・サービス・プロバイダーに外注することもできる。
【０１０２】
さらに、図5に示されるように、このシステムは全ての注文及び在庫を管理するエンタープライズ・リソース・プランニング(ERP)モジュールを含んでもよく、その際、基本的な注文データがCITDBに保存されERPモジュールに伝達される。ERPモジュールはCITDBと生産システムとの間の結合要素である。特に、ERPモジュールは全ての生産システムを制御しかつ起動する。ERPモジュールは操作内で物質の移動及び保管を制御すること、及び関連の取引を処理することに関与する倉庫管理システム(WMS)に接続し得る。さらに、図5中の「製造」からWMSへの矢印によって示される自動返却管理（又は逆物流管理）（これは発送した製品を倉庫設備又は流通センターへ戻すこと、及び保証修理、整理、顧客への返却等のためにこれを処理することに関与する全てのプロセスを含む）を提供することが可能である。
【０１０３】
図3は、本発明のプロセスの実施形態及びそのコンピューターベースのネットワークとの関係を示す。コンピューターベースのネットワークは、末端利用者の近くに位置するコンピューターであり得る1以上の遠隔の顧客を含み得る。遠隔の顧客は例えば末端利用者の自宅に位置し得る。遠隔の顧客によって入力又は処理される情報及びデータは、コンピューターベースのネットワーク中の任意数の他のノードに伝達し得る。情報又はデータは、例えば遠隔の顧客から編集及び/又は分析のために保存又は直接伝達され得る主観的データベースまでインターネット上で電子的に伝達される。遠隔の顧客は、ネットワークを介して1以上の販売地と直接的に接続され得るか又は他のノードを介して（コンピューターベースのネットワークに存在するデータベース等）接続され得る。
【０１０４】
コンピューターベースのネットワークへのアクセスは、情報又はデータ（末端利用者の身体特性又は健康分析に関する客観的データ等）をコンピューターベースのネットワークを介して入力し、その結果、これが製品の処方、調製及び/又は特注生産の分析に含まれ得る第三者のアクセスを含んでもよい。主観的インプットは客観的インプットと独立に入力してもよいし、又はこの2つを1以上の遠隔の顧客、販売地、第三者又は他の顧客を介して同時に入力してもよい。コンピューターベースのネットワークのノードは、サーバーと相互接続し得る。サーバーはコンピューター又は他のノードであってもよい。
【０１０５】
図3において、主観的データベース及び客観的データベースが別々に示される。客観的データベース及び主観的データベースは物理的に又はインターネットワーキングを介して（その際、主観的データベース及び客観的データベースは、ネットワーク接続を介して直接的に又は1以上のノードを介して互いに通信し得る）集めてもよい。サーバーは処方又は調製品を開発するための主観的/客観的データの分析に着手し得る。
【０１０６】
任意数の顧客ノードはコンピューターベースのネットワークにおいてインターネットワークし得る。客観的インプット又は主観的インプットに関して、顧客にはインターネットを介して又は他の電気通信経路を介してインターネットワークする家庭用コンピューターを含み得る。
【０１０７】
多くの店頭オペレーションは客観的インプット及び主観的インプットの同一の集合を共有し得る。データベース等の情報は、新しいデータが絶えず追加されるセントラルサーバーに保存され、それによってデータベースが強化されかつ改善される。データベースは店頭又は地理的に結びついた個人によるアクセスに限定されない。ワイヤレス装置を通じたインターネット等のネットワークを介したアクセスも可能である。リモートアクセスは、本発明の方法を実施するために必要な技術的訓練のより広範な分布を可能にするトラベリングコンサルタント会社の効果的な利用を可能にする。
【０１０８】
本発明の一実施形態では、別個のデータファイルとして又は単一のデータベースとして共に存在し得る、主観的インプットと客観的インプットとが経験に由来するデータベースと統合及び/又は比較される。このインプットの経験に由来するデータベースとの比較は、特注製品処方を介した改変又は感作に関する一連の変数の同定を可能にする。例えば、統合したインプット及び経験的データベースは、例えば実際に末端利用者に投与される特注製品によってもたらされ得る特定の変数（微量栄養素レベル等）の同定を可能にする数学アルゴリズムに供され得る。
【０１０９】
インプットと経験に由来するデータベースとを比較するアルゴリズム、数学的プロセス又は手段は、異なるインプット量及び異なるインプットデータベースを用いた反復サイクルを介して1以上の特注製品処方の成分に対する特定の変数の感度を決定する反復学習プロセスを介してもたらされ得る。人工ニューラル・ネットワークは特注製品中に存在し得る異なる成分に対する任意の変数の感度を決定するために使用し得る。最も感度の高い変数及びそれに関連する症状/効果を同定することによって、主観的及び客観的末端利用者インプットの両者に応答する組成物を開発しかつ調製して、その結果、末端利用者に所望の効果を提供し得る。このアルゴリズム及び人工ニューラル・ネットワークがコンピューターを活用した自動化ベースで実行されることが好ましい。一実施形態では、変数の感度は、特注の調製品中の成分の投与及び最終消費者に表れる症状と線形様式（linear manner）で関連付け得る。例えば末端利用者は、その特定の人種、年齢及び環境影響の個人について通常期待され得るものよりも低い末端利用者の皮膚の弾力性を示す客観的データを提供し得る。末端利用者はまた、皮膚の感触及び/又は皮膚の弾力性を改善することが個人の要望であることを示す主観的情報も入力し得る。インプットが経験的データベースと統合され、コンピューター化されたアルゴリズムが実行される際に、例えばビタミンA等の特定の栄養素が不足していること又はその他これを末端利用者向けのスキンクリーム中で強化すべきことを決定し得る。反復学習プロセス又は人工ニューラル・ネットワークを介して、このビタミンの最も有益な用量が、最も効果的な投与を可能にし得る形態と共に決定され得る。
【０１１０】
初めに、人工ニューラル・ネットワークは、熟練した実践者によって提供される案内及びインプットによってトレーニングし得る。例えば、改善した皮膚の粘弾性特性の利益を享受し得る個人の皮膚を観察する技術者は、皮膚特性の既知の増感剤（例えばビタミンA）を皮膚への効果が達成されるよう改変し得る解決策へ人工ニューラル・ネットワークを指示することができるかもしれない。
【０１１１】
人工ニューラル・ネットワーク及びそこで使用されるアルゴリズムはD.E. Rumelhart, G.E. Hinton,及びR.J. Williams, 「Learning Internal Representations by Error Propagation」 D.E. Rumelhart, J.L. McClelland,編集. Parallel Distributed Processing: Explorations in the Microstructure of Cognition. Vol. 1, Cambridge, Mass.: MIT Press, pp. 318-362 (1986)（参照により本明細書に組み入れる）に記載される。
【０１１２】
図4に示されるように、末端利用者を面接及び試験してもよく、得られたデータをコンピューターベースのシステムへ入力してもよい（2）。次いで、このデータはデータベースに具備及び/又は含まれ、サーバー又は他の保存及び/若しくは処理ユニット等のセントラル・データ・テクノロジー・レシーバーへ伝達し得る（3）。このデータの処理を介して（例えばエキスパート・システムを介して）、結果及び推奨を末端利用者向けに作製することができる（4）。結果は、特定の末端利用者向けの製品処方を含んでもよく、最初に調製のための製造施設に伝えた後に（4）、これを末端利用者へ折り返しレポートしてもよい（6）。その後、製品自体が末端利用者に引き渡される（5）。
【０１１３】
したがって、本発明のこの実施形態の方法は、フロントエンド機能及びバックオフィス機能をもたらし得る。フロントエンド機能は末端利用者との橋渡しをするが、バックオフィス機能は使用者に試験用の製品を提供されるまで、使用者に明確である。
【０１１４】
製品の送達に加えて、末端利用者は技術者又は販売代理人との第2コンサルテーションに招聘され得る。第2コンサルテーションは処方を微調整するために、及び末端利用者から追加のデータを得るために使用し得る。別の実施形態では、末端利用者との第2コンサルテーションは客観的データ及び主観的データの関連付けの後に行われてもよく、したがって導かれる処方は最終的な生産及び特注製品の送達前に入手可能であり、最終的な製品の「微調整」及び末端利用者の教育を可能にする。この実施形態では、第3コンサルテーションを製品の送達時に行ってもよい。
【０１１５】
反復学習プロセス（iterative learning process）は類似した様式で機能する。客観的基準及び主観的基準（例えばインプット）を、経験に由来するデータベース及びこれに含まれる科学的に導かれた関係と関連付ける多くの試行を反復することによって、インプットと任意の特注製品の処方との間の関係の予測的理解を展開することが可能であるかもしれない。
【０１１６】
末端利用者との対話及びその処方又は調製品の決定は周期的に実施し得る。通常、末端利用者は予約を取るか、分析用のサンプルを提供するか若しくは分析のために店頭オペレーションに出向いてもよいし、又は遠隔で働く個人が訪問してもよい。客観的データ及び主観的データを取得し、末端利用者の組織サンプルからのデータ又は末端利用者の測定値を相互に関連付けた後、最初の推奨及び製品処方が作製される。次いで製品処方は、本発明の第3ステップで、コンサルティング会合で末端利用者と議論される。コンサルティングは対面ベースで行うことが好ましい。コンサルティングは例えば診療所、薬局、化粧品研究所又は百貨店で実施してもよく、バランスの取れた特注ケア処方を提供する組織の店頭で実施されるのが好ましい。既に上述されるように、コンサルテーションは技術的及び科学的に訓練されたスタッフによって、このプロセスの全ての段階で実施される。
【０１１７】
好適な実施形態では、フィードバックシステムが存在する。フィードバックは、顧客が性能/製品データベースを増強しながら、同時に変化するニーズに製品を絶え間なく最適化する手法を提供する。したがって、客観的インプット及び主観的インプットの両者の提出は、末端利用者に所望の調製品をより効果的に同定しかつ購入させることを可能にする。
【０１１８】
コンサルティングは製品処方のフィードバック及び可能な最適化の機会を提供する。このプロセスの更なるステップは、個人への製品の販売を含み得る。販売の後で、多くのフォローアップステップが更なるコンサルテーション、製品処方の最適化、フィードバック機能を促進し得る他のステップのために使用し得る。
【０１１９】
本明細書に記載されるプロセスは、特注公式を導き出す際に段階的様式で実施し得る。2つの可能な実施形態が図6及び7の流れ図で説明される。
【０１２０】
図6は概要図で第1の実施形態を示す。このプロセスの第1ステップは、末端利用者の年齢及び体格指数（BMI）を測定することを含み、そして末端利用者の年齢及び体格指数（BMI）を測定することからなることが好ましい。この知見に基づいて（すなわち、2つのパラメーターのみに基づいて）、予め定めた可能な基本公式のセットの中の1つが選択される。示される実施形態では、基本公式のセットは、その一つが出発公式として選択される（この選択された基本公式はその後、最終公式を導き出すためにさらに補正される必要がある）16種の基本公式を含む。これは上で詳細に記載したアンケートの解答を評価することによって行われ、前公式（又は中間公式）Iを導く。「Dev」によって同定される次のステップでは、装置からの分析結果（客観的結果）（例えば身体組成、骨密度、皮膚分析等）が含まれ、最終BC公式が導き出される。平行して、この分析を基礎とする個々のレポートが、様々な分析の結果及びBC公式へのその効果と関連のあるテキストモジュールを用いて作成される。個々のレポートは、上述される第2及び/又は第3のコンサルテーションの基礎とし得る。
【０１２１】
図７は、図6の描写に類似するプロセスの別の可能な実施形態を示す。図7のプロセスは、基本公式を最終BC公式へ補正する更なるステップを含む点で、図6のプロセスを前提とする「増強した」プロセスとして記載し得る。再度、図6に記載されるように、基本公式は2種類のパラメーター（すなわち年齢及びBMI）に基づいて選択される。この関連で、基本公式の選択が多かれ少なかれ2つのパラメーターで行い得ること、及び年齢及びBMIとは異なるパラメーター（例えば性別（更なる選択肢として妊娠を含む）、喫煙者/非喫煙者、所与のアレルギー等）に基づいて行い得ることが強調されるべきである。図6及び7において、性別が基本公式を選択するための更なる基準であり得ることが示される。各性別につき16種（又は適当な他の任意数）の基本公式の二重セットを有する可能性があり得る（性別が該セットを選択し、年齢及びBMIが該セットに含まれる基本公式の一つを選択する）。選択は任意の方法、例えば末端利用者による選択、訓練されたコンサルタントによる選択、及びコンピューターによる選択によって実行され得る。選択は、公式のリスト（末端利用者の公式又は参照公式のリスト）から基本公式を選択することを含んでもよい。リストからの選択は、例えば、グラフィカル・ユーザー・インターフェースとして表示されるリスト及びメニューの一部として表示されるリストから選択することによって実施され得る。
【０１２２】
図6のプロセスで見られるように、選択した基本公式はアンケートの評価に基づいて第1の前公式Iへ補正される。次のステップとして、遺伝子試験SNPからの結果が考慮され、第1の前公式Iの第2の前公式IIへの更なる補正が生じる。次いで、血液試験からの結果が第3の前公式IIIへの更なる補正をもたらし、最終的に装置試験（上記図6参照）からの結果を考慮して第3の前公式IIIが最終BC公式へ補正される。図6及び7で説明されかつ上述されるステップの順序が、本発明から逸脱することなくかつ結果の質の喪失を伴わずに変更することができることに注意すべきである。したがって、反復的な様式で基本公式を適合させて実際に最終公式を取得するプロセスは、線状プロセスではなくモジュール方式で設計できることが理解される。
【０１２３】
このプロセスの一実施形態では、アンケート中の特定の質問に対する解答又は試験の特定の結果に基づいて、これらの解答又は結果に科学的に対応する所与の成分が、最終公式における対応する値（according values）に直接設定される。例えば、末端利用者がアンケート中で喫煙者であるとの質問に解答する場合、最終公式中のβ-カロチン用量は直接的に10mg以下に設定され、ビタミンAは25,00 IE未満に設定され、個々のレポートは末端使用者に喫煙の中止を勧め、専門家に中止の手助けを求めるテキストモジュールを含むだろう。末端利用者が菜食主義者であることを告示する場合、ビタミンB12は500μg以上に設定され、アセチル-カルニチンは500mg以上に設定され、個々のレポートは厳格な菜食主義について及びこれから生じる可能な微量栄養素欠乏症を知らせるテキストモジュールを含むだろう。更なる例として、末端利用者が毎日清涼飲料を消費することを告示する場合には、クロム（Cr）は100μg以上に設定され、個々のレポートは炭水化物の大量摂取（肥満、インスリン耐性）の長期リスクを指摘するテキストモジュールを含むだろう。末端利用者が、例えば緑茶を毎日4杯以上飲むことを告示する場合には、最終公式への（直接的な）影響はないが、個々のレポートは、この末端利用者を賞賛しその継続を助長する（緑茶ポリフェノールの複数の健康利益を概説する）テキストモジュールを含むだろう。これはもちろん当業者が本発明によるプロセスをいかに設定するかを示す限定的な選択の例である。
【０１２４】
遺伝子試験の結果に対する個々のレポートのためのテキストモジュールだけでなく、最終公式の設定と関連する対応の関連リストもデータベース中に提供し得る。例えば、SNP遺伝子試験がMTHFR_C677T（Ala222Val）（メチレンテトラヒドロ葉酸レダクターゼ）を表す場合には、最終公式に対する以下のニュートリゲノミック介入（nutrigenomic intervention）が結果であり得る：
１．葉酸：＝1000μg  ＋  それ以上
ビタミンB12：＝  ＋  800μg
ビタミンB6：  ＋  50mg
リボフラビンB2：  ＋  50mg
２．葉酸＝1000μg
ビタミンB12：  ＋  400μg
ビタミンB6：  ＋  25mg
リボフラビンB2：  ＋  50mg
３．葉酸：−
ビタミンB12：−
ビタミンB6：−
リボフラビンB2：−
1．MTHFR_C677T-多型のTT変異体、2．CT変異体、又は3．CC変異体。次いで、カウンセルレポートは、それぞれこれらの変異体に対する以下の適当なテキストモジュールを含み得る。：
１．TT：遺伝子試験はMTHFR_C677T-多型のTT変異体を表している。この変異体が酵素MTHFRの活性の約55％低減と関連することが公開された研究から知られている。これはアミノ酸代謝物質であるホモシステインの形成の増加に導き、血管の健全性の損傷を引き起こし、その結果、心臓血管疾患のリスクを増加する。ホモシステインレベルの増加は、骨粗鬆症、アルツハイマー型認知症及び非アルツハイマー型認知症との関連でも見出されている。ホモシステイン形成（及び分解）の代謝制御は、B−ビタミンであるB2、B6、B12及び葉酸の存在に関するあなたの酵素的資質（遺伝子型）の一貫性に左右される。あなたの場合のように、MTHFRの酵素活性がCT、又はCC変異体のものより低い場合は、より多くの葉酸が正常のホモシステインレベルとするために必要である。しかし、他のB-ビタミンも特定のレベルで存在すべきである。これはあなたのBC-公式に考慮されている。T-対立遺伝子は大腸癌及び急性リンパ性白血病のリスクの低減と関連した。保護は白血病（及び大腸癌）がDNA前駆体により大きな必要条件を有する急速な分裂組織に由来する事実に起因し得る。しかし、アルコールの高摂取及び葉酸の低消費はこの保護を除去する。顕在的なアルコールの消費は一般的には有益ではない。大腸癌に対する変異体の保護効果を維持するために、我々はあなたがアルコール摂取を制限することを推奨する。
【０１２５】
2．CT：遺伝子試験はMTHFR_C677T多型のCT変異体を表している。この変異体が酵素MTHFRの活性の約30％低減と関連することが公開された研究から知られている。これはアミノ酸代謝物質であるホモシステインの形成の増加に導き、これは血管の健全性の損傷を引き起こし、その結果、心臓血管疾患のリスクを増加する。ホモシステインレベルの増加は骨粗鬆症、アルツハイマー型認知症及び非アルツハイマー型認知症との関連でも見出されている。ホモシステイン形成（及び分解）の代謝制御は、B-ビタミンであるB2、B6、B12及び葉酸の存在に関するあなたの酵素資質（遺伝子型）の一貫性に左右される。あなたの場合のように、酵素活性が（TT変異体に比べて優れているが）CC-変異体のものより低い場合は、より多くの葉酸が正常なホモシステインレベルとするために必要である。しかし、他のB-ビタミンも特定のレベルで存在すべきである。これはあなたのBC製法に考慮されている。
【０１２６】
3．CC：遺伝子試験はMTHFR_C677T多型のCC変異体を表している。野生型と呼ばれるこの変異体が正常に機能するMTHFRに関連することが公開された研究から知られている。他の変異体であるCT又はTTと比較して、これは血管の健全性の損傷を引き起こすホモシステイン（アミノ酸代謝物質）の形成の低減に導く。高いホモシステインレベルは心臓血管疾患を誘引するリスクを有し、また骨粗鬆症、アルツハイマー型認知症及び非アルツハイマー型認知症との関連でも見出されている。ホモシステイン形成の代謝制御は、B-ビタミンであるB2、B6、B12及び葉酸の存在に関するあなたの酵素的資質（遺伝子型）の一貫性に左右される。あなたの場合のように、酵素活性がCT及びCC変異体のものより「優れている」場合、B-ビタミンの低食事摂取量及び高タンパク質摂取は、依然としてホモシステイン形成の増加に導くことができる。したがって、適量のB-ビタミンが必要とされる。これはあなたのBC-製法に考慮されている。
【０１２７】
このプロセスは。店頭オペレーター又はコンサルタントからの案内と共に又は案内なく販売時点（POS）システムで実施し得る。末端利用者は客観的基準及び主観的基準の記入を可能にする販売時点システムで直接データを入力し得る。末端利用者は主観的基準のみ又は主観的基準及び客観的基準の両者の組み合わせを、全てを一度に又は異なるセッションで入力してもよく、これは客観的基準が末端利用者に直接提供されるか又は最初にPOSを介してアクセス可能なデータベースに自動的に入力されるかによって左右される。POSの一つの利点は、末端利用者がコンサルタント又は販売代理人を要することなく、POSを数回訪問し得る点である。POSはまた、末端利用者に好適な公式を早急に同定するために使用し得る。末端利用者は連続的にPOSに再訪して、既に送達された製品に対するフィードバックを更新し、提供し得る。これは、データが主観的インプット及び客観的インプット中で早急に更新されて末端利用者に最適な処方を直ちに同定するフィードバックループを開始し得る。
【０１２８】
POSはCPUと、客観的インプット及び主観的インプットの両者、並びに経験に由来するデータベースを保存するメモリーを具備するコンピューターから構成し得る。POSがサーバーに相互連結されたコンピューターベースのシステムに対する顧客であることが好ましい。サーバーは、主観的データ及び客観的データを経験に由来するデータベースと一緒に保存するよう機能する。データベースのリモートロケーションは、任意のアルゴリズム又は比較データベース法の安全性確保を手助けし、海賊行為又は破壊行為から顧客の処方を保護する。
【０１２９】
顧客は、例えばハード・ランド・ラインを介して又はワイヤレス通信によってサーバーに直接接続し得る。
【０１３０】
末端利用者は、アンケート中の特定の解答のキーボード又はマウスによる選択を可能にする迅速なアンケートを介して、POSに主観的データを入力し得る。本発明の一実施形態では、データ（例えば主観的インプット及び客観的インプット）は、ワイヤレス電話等の可動装置を介して入力される。POSのコストを低減するために、算出及びアルゴリズム的比較がサーバー上で着手され、顧客がデータを表示し、入力するだけの役割を果たすことが好ましい。
【０１３１】
POSは入力したデータと、POSのメモリー中又はリモートサーバー上に一時的に存在し得る経験に由来するデータベースとの、一時的な比較のためのマイクロプロセッサ及びメモリーを含み得る。したがって、本発明の一実施形態では、POSは所望の処方を直接計算し得る。次いで、この計算は別個のデータベースでの保存のために直接サーバーに再び伝達され、かつ末端利用者の所望の組成物の調製のためにフォーミュレーターに伝達される。
【０１３２】
本発明の一態様では、POSは、客観的データをPOSで直接的に測定することを可能にする分析機器を装備し得る。かかる分析的データには、例えば皮膚の色の測定を可能にする色測定機器を含み得る。
【０１３３】
調製が完了した際、末端利用者がワイヤレス装置（ワイヤレス電話、PDA又はポケベル等）の個人用電話番号等の他の識別データを提供している場合には、末端利用者にメッセージを直接送信し得る。
【０１３４】
本発明の別の態様では、末端利用者は、特定の調製品の有効期限が切れ、もはや使用できなくなり、そしてコンサルタント/医師を訪問することを催促する日付を示すカレンダーが提供される。催促状は調製品の差替え品を得るために送付し得る。末端利用者はまた、POS又は他の装置（電話ネットワークまたはワイヤレス電話等）のいずれかを介して直接的に材料を再注文してもよく、その結果、新たな材料が治療レジメンの妨害なく末端利用者に直接送達される。
【図面の簡単な説明】
【０１３５】
【図１】図１は、末端利用者への送達用の製品を製造するための、フォーミュレーターへの末端利用者からの客観的データ及び主観的データの組み入れの図を示す。
【図２】図２は、顧客又は販売データ入力端末の地点を介して末端利用者からインプットを取得し得るコンピューターシステムの図を示す。
【図３】図３は、客観的データベース及び/又は主観的データベースからのデータ（インプット）の伝達を可能にする顧客/サーバー構造（1以上のデータが1以上のサーバーに保存されてもよいし、又はその複製が顧客に保管されてもよい）、及びインターネット等のコンピューターベースのネットワークにわたるデータの伝達を示す。
【図４】図４は、通信フロー、製品フロー、及びフロントエンド機能とバックオフィス機能との間の相互作用を示す図である。
【図５】図５は、バランスとの取れたケア製品の特注生産の統合実施のための、中枢ITシステム構造を示す図である。
【図６】図６は、特注製品の処方を導き出すプロセスの別の実施形態を図解する図である。
【図７】図７は、特注製品の処方を導き出すプロセスの別の実施形態を図解する図である。
【図１】
2007518170.tif 000013
【図２】
2007518170.tif 000014
【図３】
2007518170.tif 000015
【図４】
2007518170.tif 000016
【図５】
2007518170.tif 000017
【図６】
2007518170.tif 000018
【図７】
2007518170.tif 000019
【手続補正書】
【提出日】平成17年11月23日(2005.11.23)
【手続補正１】
【補正対象書類名】特許請求の範囲
【補正対象項目名】全文
【補正方法】変更
【補正の内容】
【特許請求の範囲】
【請求項１】
以下のステップ：
個人の健康状態を客観的に反映し、個人から決定される客観的データを入力すること、
個人の状態に関する所望の特性及び個人の状態に対する個人的な印象を反映する、個人により提供される主観的データを入力すること、
主観的インプットを客観的インプットに適合することによってテンプレートを生成すること、
該テンプレートを経験に由来するデータベースに対して関連付け、そして処方が公式化されうる基礎を形成する変数を自動的に同定すること、
客観的インプット及び主観的インプットに含まれる少なくとも１つのパラメータに基づき、特注製品の基礎となる基本公式を選択すること、
該同定された変数に基づき、少なくとも1つの適合基準に従って、客観的インプット及び主観的インプットに基づく該基本公式を適合させることによって、該特注製品用の処方を導き出すこと、
を含む、個人向けの特注化粧品又は栄養調製品を自動的に公式化するコンピューターベースの方法。
【請求項２】
以下のステップ：
個人の健康状態を客観的に反映し、個人から決定される客観的データを入力すること、
個人の状態に関する所望の特性及び個人の状態に対する個人的な印象を反映する、個人により提供される主観的データを入力すること、
主観的インプットを客観的インプットに適合することによってテンプレートを生成すること、
該テンプレートを経験に由来するデータベースに対して関連付け、そして処方が公式化されうる基礎を形成する変数を自動的に同定すること、
客観的インプット及び主観的インプットに含まれる少なくとも１つのパラメータに基づき、特注製品の基礎となる基本公式を選択すること、
選択した基本公式を客観的インプット及び主観的インプットの第1サブセットに従って適合させて、中間公式を取得すること、
中間公式を客観的インプット及び主観的インプットの第2サブセットに従って適合させること、及び
特注製品用の最終的な処方を取得すること、
を含む、個人向けの特注化粧品又は栄養調製品を自動的に公式化するコンピューターベースの方法。
【請求項３】
基本公式を選択するステップが、利用可能な公式の少なくとも1つのリストから基本公式を選択することを含む、請求項1又は2に記載の方法。
【請求項４】
少なくとも1つのリストが、少なくとも1つのメニュー及びグラフィカル・ユーザー・インターフェースの一部として表示されたリストを含む、請求項3に記載の方法。
【請求項５】
適合基準が経験に由来するデータを含む、請求項1〜4のいずれか1項に記載の方法。
【請求項６】
選択するステップを、客観的インプット又は主観的インプットの1つ以上に含まれる少なくとも1種類のパラメーターに基づいて実行する、請求項1〜5のいずれか1項に記載の方法。
【請求項７】
選択を客観的インプット又は主観的インプットの1つ以上に含まれる少なくとも2種類のパラメーターに基づいて実施する、請求項1〜5のいずれか1項に記載の方法。
【請求項８】
少なくとも2種類のパラメーターが個人の年齢及び体格指数（Body mass index）である、請求項7に記載の方法。
【請求項９】
客観的データは個人から得た1つ以上のサンプルで分析的測定を実行することによって取得されたものである、請求項1〜8のいずれか1項に記載の方法。
【請求項１０】
客観的データは個人の組織サンプル、体液又は遺伝子試験の少なくとも1つから取得されたものである、請求項9に記載の方法。
【請求項１１】
客観的データ及び主観的データが異なるデータベースに保存されたものである、請求項1〜10のいずれか1項に記載の方法。
【請求項１２】
個人から製品性能データを取得して特注処方を変更することをさらに含む、請求項1〜11のいずれか1項に記載の方法。
【請求項１３】
客観的データ及び主観的データの少なくとも1つが、データが入力される位置から遠く離れた物理的位置で保存されたものである、請求項1〜12のいずれか1項に記載の方法。
【請求項１４】
主観的データが、技術的に訓練を受けたコンサルタントの存在下で個人によって完成されたアンケートから取得されたものである、請求項1〜13のいずれか1項に記載の方法。
【請求項１５】
主観的インプットを変更するか否かを判断するために、客観的インプットを個人と検討することをさらに含む、請求項1〜14のいずれか1項に記載の方法。
【請求項１６】
医師の不在下で主観的データを取得する、請求項1〜15のいずれか1項に記載の方法。
【請求項１７】
医師が個人と連絡を取らない、請求項1〜16のいずれか1項に記載の方法。
【請求項１８】
客観的データ及び主観的データが顧客の端末で入力され、リモートサーバーで保存される、請求項1〜17のいずれか1項に記載の方法。
【請求項１９】
少なくとも1種の適合基準が、ヒト症状に対する栄養素、1日用量データ及び効果の関連付けを含む、請求項1〜18のいずれか1項に記載の方法。
【請求項２０】
経験に由来するデータとの客観的インプット及び主観的インプットの関連付けを、人工ニューラル・ネットワークを用いて実施する、請求項1〜19のいずれか1項に記載の方法。
【請求項２１】
経験に由来するデータと関連付ける前に、個人をアンケートに供して主観的インプットを精緻化することをさらに含む、請求項1〜20項のいずれか1項に記載の方法。
【請求項２２】
特注処方が処方薬を含まない、請求項1〜21のいずれか1項に記載の方法。
【請求項２３】
最終的な処方を取得する前に、中間公式を適合させるステップが客観的インプット及び主観的インプットの1以上の追加のサブセットで反復される、請求項2〜22のいずれか1項に記載の方法。
【請求項２４】
第1のサブセットが主観的インプットを含む、請求項2〜23のいずれか1項に記載の方法。
【請求項２５】
第2のサブセットが客観的インプットを含む、請求項2〜24のいずれか1項に記載の方法。
【請求項２６】
個人から決定される客観的データを入力するように設定された第1の入力部と、
個人によって提供される主観的データを入力するように設定された第2の入力部と、
客観的インプット及び主観的インプットを経験に由来するデータと関連付けることによって、個人向けに特注された製品の処方を導き出すように設定された計算部とを含む、個人向けの特注製品を公式化するシステム。
【請求項２７】
個人の健康状態を客観的に反映し、個人から決定される客観的データを入力するように設定された第１の入力部と、
個人の状態に関する所望の特性及び個人の状態に対する個人的な印象を反映する、個人により提供される主観的データを入力するように設定された第２の入力部と、
主観的インプットを客観的インプットに適合することによってテンプレートを生成し、該テンプレートを経験に由来するデータベースに対して関連付け、そして処方が公式化されうる基礎を形成する変数を自動的に同定し、客観的インプット及び主観的インプットに含まれる少なくとも１つのパラメータに基づき、特注製品の基礎となる基本公式を選択するように設定された第１の選択部と、
客観的インプット及び主観的インプットと該同定された変数とに基づき、該基本公式を適合させることによって、該特注製品用の処方を導き出す第１の計算部と、
を含む、個人向けの特注化粧品又は栄養調製品を自動的に公式化するシステム。
【請求項２８】
個人の健康状態を客観的に反映し、個人から決定される客観的データを入力するように設定された第１の入力部と、
個人の状態に関する所望の特性及び個人の状態に対する個人的な印象を反映する、個人により提供される主観的データを入力するように設定された第２の入力部と、
主観的インプットを客観的インプットに適合することによってテンプレートを生成し、該テンプレートを経験に由来するデータベースに対して関連付け、そして処方が公式化されうる基礎を形成する変数を自動的に同定し、客観的インプット及び主観的インプットに含まれる少なくとも１つのパラメータに基づき、特注製品の基礎となる基本公式を選択するように設定された第１の選択部と、
選択した基本公式を客観的インプット及び主観的インプットの第1サブセットに従って適合させて、中間公式を取得するように設定された第１の計算部と、
中間公式を客観的インプット及び主観的インプットの第2サブセットに従って適合させるように設定された第２の計算部と、及び
特注製品用の最終的な処方を取得するように設定された第３の計算部と、
を含む、個人向けの特注化粧品又は栄養調製品を自動的に公式化するシステム。
【請求項２９】
第1の計算部が、利用可能な公式の少なくとも1つのリストから基本公式を選択するための部を含む、請求項27又は28に記載のシステム。
【請求項３０】
リストが少なくとも1つのメニュー及びグラフィカル・ユーザー・インターフェースの一部として表示されたリストを含む、請求項29に記載のシステム。
【請求項３１】
適合基準が経験に由来するデータを含む、請求項27に記載のシステム。
【請求項３２】
基本公式が異なる顧客の端末で入力され、異なるリモートサーバーで保存される、請求項27又は30に記載のシステム。
【請求項３３】
処方がヒト症状への栄養素、1日用量データ、効果の関連付けと基本公式とを含む、請求項27又は32に記載のシステム。
【請求項３４】
処方がヒト症状への栄養素、1日用量データ及び効果の関連付けを含む、請求項26に記載のシステム。
【請求項３５】
処方を変更するために、個人からの製品性能データを入力するように設定された第3の入力部をさらに含む、請求項26又は34に記載のシステム。
【請求項３６】
経験に由来するデータとの客観的インプット及び主観的インプットの関連付けを、人工ニューラル・ネットワークで実施する、請求項26、34又は35に記載のシステム。
【請求項３７】
基本公式の適合、中間公式の適合及び最終公式の取得を人工ニューラル・ネットワークで実施する、請求項28〜33のいずれか1項に記載のシステム。
【請求項３８】
客観的データ、主観的データ及び基本公式が顧客の端末で入力され、リモートサーバーで保存される、請求項27〜33又は37のいずれか1項に記載のシステム。
【請求項３９】
客観的データを個人から得た1つ以上のサンプルで分析的測定を実施することによって決定する、請求項26〜38のいずれか1項に記載のシステム。
【請求項４０】
客観的データを個人の組織サンプル、体液又は遺伝子試験の少なくとも1つから取得する、請求項26〜39のいずれか1項に記載のシステム。
【請求項４１】
客観的データ及び主観的データが異なるデータベースに保存される、請求項26〜40のいずれか1項に記載のシステム。
【請求項４２】
客観的データ及び主観的データの少なくとも1つが、第1の又は第2の入力部から遠く離れた物理位置で保存される、請求項26〜41のいずれか1項に記載のシステム。
【請求項４３】
主観的データが、技術的な訓練を受けたコンサルタントの存在下で個人によって完成されたアンケートから決定される、請求項26〜42のいずれか1項に記載のシステム。
【請求項４４】
客観的データ及び主観的データが顧客の端末で入力され、リモートサーバーで保存される、請求項26〜43のいずれか1項に記載のシステム。
【請求項４５】
客観的データ及び主観的データが入力部から遠く離れた物理位置で保存される、請求項26〜44のいずれか1項に記載のシステム。
【請求項４６】
個人向けの特注製品を公式化するようにコンピュータープロセッサーを制御するためのコンピューターコードを含むコンピュータープログラムであって、該コンピューターコードが少なくとも請求項1〜25のいずれか1項に記載の方法を実行するように該コンピュータープロセッサーを制御する、上記コンピュータープログラム。
【請求項４７】
コンピューター読取り可能な媒体及びこれに内蔵された個人向けの特注製品を公式化するようにコンピュータープロセッサーを制御するためのコンピューターコードを含むコンピュータープログラム製品であって、該コンピューターコードが少なくとも請求項1〜25のいずれか1項の方法を実行するようにコンピュータープロセッサーを制御する、上記コンピュータープログラム製品。
【国際調査報告】
2007518170.tif 000020
2007518170.tif 000021
2007518170.tif 000022